(57)【要約】高い周波数ダイバーシチ及び凝縮した周波数割り当てのうちの１つを実現するために、ショート物理下りリンク制御チャネル（ｓＰＤＣＣＨ）を時間‐周波数グリッドのリソースエレメントにマッピングするための方法、ネットワークノード及び無線デバイスが提供される。一態様によれば、方法は、ショートリソースエレメントグループ（ｓＲＥＧ）として設定される使用可能な時間‐周波数リソースを決定することと、ｓＰＤＣＣＨをリソースエレメントにマッピングするために物理リソースブロック（ＰＲＢ）内にｓＲＥＧを設定することと、を含む。ｓＲＥＧの数は、ｓＰＤＣＣＨの直交周波数分割多重（ＯＦＤＭ）シンボルの数に依存する。各ｓＲＥＧは、１ＯＦＤＭシンボルにわたる。
2020502844.tif 000002
【特許請求の範囲】
【請求項１】
ショート物理下りリンク制御チャネル（ｓＰＤＣＣＨ）を時間‐周波数グリッドのリソースエレメントにマッピングするための、ネットワークノード（１４）における方法であって、前記方法は、
ショートリソースエレメントグループ（ｓＲＥＧ）として設定される、使用可能な時間‐周波数リソースを決定すること（Ｓ１００）と、
前記ｓＰＤＣＣＨを前記リソースエレメントにマッピングするために、物理リソースブロック（ＰＲＢ）内にｓＲＥＧを設定することであって、各ｓＲＥＧが１つの直交周波数分割多重（ＯＦＤＭ）シンボルにわたる、設定すること（Ｓ１０２）と、を含む方法。
【請求項２】
請求項１に記載の方法であって、ｓＲＥＧは、復調参照信号（ＤＭＲＳ）ベースのｓＰＤＣＣＨに適用される、セル固有参照信号（ＣＲＳ）及びＤＭＲＳのうちの少なくとも１つのための、複数のリソースエレメント（ＲＥ）を含む１ＯＦＤＭシンボル内の１ＰＲＢで構成される、方法。
【請求項３】
請求項１に記載の方法であって、ｓＲＥＧは、セル固有参照信号（ＣＲＳ）と、ＣＲＳベースのｓＰＤＣＣＨに適用される復調参照信号（ＤＭＲＳ）とのうちの少なくとも１つのためのリソースエレメント（ＲＥ）を含む、１ＯＦＤＭシンボル内の１ＰＲＢで構成される、方法。
【請求項４】
請求項１から３のいずれか１項に記載の方法であって、前記ｓＲＥＧは、周波数領域において局所化されるように設定されるか、前記周波数領域において分散されるように設定されるかのうちの一方である、方法。
【請求項５】
請求項１から４のいずれか１項に記載の方法であって、ｓＲＥＧへのショート制御チャネルエレメント（ｓＣＣＥ）の分散型又は局所型マッピングのうちの１つでＣＲＳベースのｓＰＤＣＣＨリソースブロックセットを使用するよう、無線リソース制御（ＲＲＣ）シグナリングによって無線デバイス（１６）を設定することを更に含む、方法。
【請求項６】
請求項１から４のいずれか１項に記載の方法であって、ｓＲＥＧへのショート制御チャネルエレメント（ｓＣＣＥ）の分散型又は局所型マッピングのうちの１つでＤＭＲＳベースのｓＰＤＣＣＨリソースブロックセットを使用するよう、無線リソース制御（ＲＲＣ）シグナリングによって無線デバイス（１６）を設定することを更に含む、方法。
【請求項７】
請求項１から４のいずれか１項に記載の方法であって、少なくとも
ＰＲＢのセットと、
局所型及び分散型の、ショート制御チャネルエレメント（ｓＣＣＥ）のｓＲＥＧへのマッピングのうちの１つとで、ｓＰＤＣＣＨ ＰＲＢセットを設定することを更に含む、方法。
【請求項８】
請求項１から７のいずれか１項に記載の方法であって、１ＯＦＤＭシンボルｓＰＤＣＣＨが、セル固有参照信号（ＣＲＳ）ベースの送信用に定義される、方法。
【請求項９】
請求項１から８のいずれか１項に記載の方法であって、セル固有参照信号（ＣＲＳ）ベースのｓＰＤＣＣＨについて、２又は３ｓＰＤＣＣＨシンボルのショート送信時間間隔（ｓＴＴＩ）で、ＲＢセットごとのＯＦＤＭシンボルの数は１及び２のうちの１つである、方法。
【請求項１０】
請求項１から９のいずれか１項に記載の方法であって、セル固有参照信号（ＣＲＳ）ベースのｓＰＤＣＣＨについて、１スロットのショート送信時間間隔（ｓＴＴＩ）で、ＲＢセットごとのＯＦＤＭシンボルの数は１及び２のうちの１つである、方法。
【請求項１１】
請求項１から１０のいずれか１項に記載の方法であって、２ＯＦＤＭシンボルｓＰＤＣＣＨが、復調参照シンボル（ＤＭＲＳ）ベースの送信用に定義される、方法。
【請求項１２】
請求項１から１１のいずれか１項に記載の方法であって、復調参照信号（ＤＭＲＳ）ベースのｓＰＤＣＣＨについて、２ｓＰＤＣＣＨシンボルのショート送信時間間隔（ｓＴＴＩ）で、ＲＢセットごとのＯＦＤＭシンボルの数は２である、方法。
【請求項１３】
請求項１から１２のいずれか１項に記載の方法であって、復調参照信号（ＤＭＲＳ）ベースのｓＰＤＣＣＨについて、３シンボルのショート送信時間間隔（ｓＴＴＩ）で、ＲＢセットごとのＯＦＤＭシンボルの数は３である、方法。
【請求項１４】
請求項１から１３のいずれか１項に記載の方法であって、復調参照信号（ＤＭＲＳ）ベースのｓＰＤＣＣＨについて、１スロットのショート送信時間間隔（ｓＴＴＩ）で、ＲＢセットごとのＯＦＤＭシンボルの数は２である、方法。
【請求項１５】
ショート物理下りリンク制御チャネル（ｓＰＤＣＣＨ）を時間‐周波数グリッドのリソースエレメントにマッピングするためのネットワークノード（１４）であって、前記ネットワークノードは、
処理回路（２２）を備え、当該処理回路は、
ショートリソースエレメントグループ（ｓＲＥＧ）として設定される使用可能な時間‐周波数リソースを決定し、
前記ｓＰＤＣＣＨを前記リソースエレメントにマッピングするために、物理リソースブロック（ＰＲＢ）内にｓＲＥＧを設定するよう構成され、各ｓＲＥＧが１つの直交周波数分割多重（ＯＦＤＭ）シンボルにわたる、ネットワークノード。
【請求項１６】
請求項１５に記載のネットワークノード（１４）であって、ｓＲＥＧは、復調参照信号（ＤＭＲＳ）ベースのｓＰＤＣＣＨに適用される、セル固有参照信号（ＣＲＳ）及びＤＭＲＳのうちの少なくとも１つのための、複数のリソースエレメント（ＲＥ）を含む１ＯＦＤＭシンボル内の１ＰＲＢで構成される、ネットワークノード。
【請求項１７】
請求項１５に記載のネットワークノード（１４）であって、ｓＲＥＧは、セル固有参照信号（ＣＲＳ）と、ＣＲＳベースのｓＰＤＣＣＨに適用される復調参照信号（ＤＭＲＳ）とのうちの少なくとも１つのためのリソースエレメント（ＲＥ）を含む、１ＯＦＤＭシンボル内の１ＰＲＢで構成される、ネットワークノード。
【請求項１８】
請求項１５から１７のいずれか１項に記載のネットワークノード（１４）であって、前記ｓＲＥＧは、周波数領域において局所化されるように設定されるか、前記周波数領域において分散されるように設定されるかのうちの一方である、ネットワークノード。
【請求項１９】
請求項１５から１８のいずれか１項に記載のネットワークノード（１４）であって、ｓＲＥＧへのショート制御チャネルエレメント（ｓＣＣＥ）の分散型又は局所型マッピングのうちの１つでＣＲＳベースのｓＰＤＣＣＨリソースブロックセットを使用するよう、無線リソース制御（ＲＲＣ）シグナリングによって無線デバイス（１６）を設定することを更に含む、ネットワークノード。
【請求項２０】
請求項１５から１８のいずれか１項に記載のネットワークノード（１４）であって、ｓＲＥＧへのショート制御チャネルエレメント（ｓＣＣＥ）の分散型又は局所型マッピングのうちの１つでＤＭＲＳベースのｓＰＤＣＣＨリソースブロックセットを使用するよう、無線リソース制御（ＲＲＣ）シグナリングによって無線デバイス（１６）を設定することを更に含む、ネットワークノード。
【請求項２１】
請求項１５から２０のいずれか１項に記載のネットワークノード（１４）であって、少なくとも
ＰＲＢのセットと、
局所型及び分散型の、ショート制御チャネルエレメント（ｓＣＣＥ）のｓＲＥＧへのマッピングのうちの１つとで、ｓＰＤＣＣＨ ＰＲＢセットを設定することを更に含む、ネットワークノード。
【請求項２２】
請求項１５から２１のいずれか１項に記載のネットワークノード（１４）であって、１つのＯＦＤＭシンボルｓＰＤＣＣＨが、セル固有参照信号（ＣＲＳ）ベースの送信用に定義される、ネットワークノード。
【請求項２３】
請求項１５から２２のいずれか１項に記載のネットワークノード（１４）であって、セル固有参照信号（ＣＲＳ）ベースのｓＰＤＣＣＨについて、２又は３つのｓＰＤＣＣＨシンボルのショート送信時間間隔（ｓＴＴＩ）で、ＲＢセットごとのＯＦＤＭシンボルの数は１及び２のうちの１つである、ネットワークノード。
【請求項２４】
請求項１５から２３のいずれか１項に記載のネットワークノード（１４）であって、セル固有参照信号（ＣＲＳ）ベースのｓＰＤＣＣＨについて、１スロットのショート送信時間間隔（ｓＴＴＩ）で、ＲＢセットごとのＯＦＤＭシンボルの数は１及び２のうちの１つである、ネットワークノード。
【請求項２５】
請求項１５から２４のいずれか１項に記載のネットワークノード（１４）であって、２ＯＦＤＭシンボルｓＰＤＣＣＨが、復調参照シンボル（ＤＭＲＳ）ベースの送信用に定義される、ネットワークノード。
【請求項２６】
請求項１５から２５のいずれか１項に記載のネットワークノード（１４）であって、復調参照信号（ＤＭＲＳ）ベースのｓＰＤＣＣＨについて、２ｓＰＤＣＣＨシンボルのショート送信時間間隔（ｓＴＴＩ）で、ＲＢセットごとのＯＦＤＭシンボルの数は２である、ネットワークノード。
【請求項２７】
請求項１５から２６のいずれか１項に記載のネットワークノード（１４）であって、復調参照信号（ＤＭＲＳ）ベースのｓＰＤＣＣＨについて、３シンボルのショート送信時間間隔（ｓＴＴＩ）で、ＲＢセットごとのＯＦＤＭシンボルの数は３である、ネットワークノード。
【請求項２８】
請求項１５から２７のいずれか１項に記載のネットワークノード（１４）であって、復調参照信号（ＤＭＲＳ）ベースのｓＰＤＣＣＨについて、１スロットのショート送信時間間隔（ｓＴＴＩ）で、ＲＢセットごとのＯＦＤＭシンボルの数は２である、ネットワークノード。
【請求項２９】
高い周波数ダイバーシチ及び凝縮した周波数割り当てのうちの１つを実現するために、ショート物理下りリンク制御チャネル（ｓＰＤＣＣＨ）を時間‐周波数グリッドのリソースエレメントにマッピングするためのネットワークノード（１４）であって、前記ネットワークノードは、
時間‐周波数グリッドのリソースエレメントへのｓＰＤＣＣＨのマッピングを格納するよう構成されたメモリモジュール（２５）と、
前記ｓＰＤＤＣＨを前記リソースエレメントにマッピングするためにショートリソースエレメントグループ（ｓＲＥＧ）を物理リソースブロック（ＰＲＢ）内に設定するよう構成されたショートリソースエレメントグループ（ｓＲＥＧ）設定モジュール（１９）と、を備え、各ｓＲＥＧが、１つの直交周波数分割多重（ＯＦＤＭ）シンボルにわたる、方法。
【請求項３０】
ネットワークノードによってシグナリングされるショート物理下りリンク制御チャネル（ｓＰＤＣＣＨ）で情報を受信するための、無線デバイス（１６）における方法であって、前記ｓＰＤＣＣＨは、ショートリソースエレメントグループ（ｓＲＥＧ）を設定することによって時間‐周波数グリッドのリソースエレメントにマッピングされ、各ｓＲＥＧが、１つの直交周波数分割多重（ＯＦＤＭ）シンボルにわたり、前記方法は、
物理リソースブロック（ＰＲＢ）の複数のセットのうちの１つで、前記ネットワークノードから前記ｓＰＤＣＣＨを受信することを含む、方法。
【請求項３１】
請求項３０に記載の方法であって、前記ｓＰＤＣＣＨは２ＯＦＤＭシンボルから成る、方法。
【請求項３２】
請求項３０又は３１に記載の方法であって、ＰＲＢのシーケンシャル順序のインジケーションを、前記ネットワークノード（１４）から受信することを更に含む、方法。
【請求項３３】
ネットワークノードによってシグナリングされるショート物理下りリンク制御チャネル（ｓＰＤＣＣＨ）で情報を受信するための無線デバイス（１６）であって、前記ｓＰＤＣＣＨは、ショートリソースエレメントグループ（ｓＲＥＧ）を設定することによって時間‐周波数グリッドのリソースエレメントにマッピングされ、各ｓＲＥＧが、１つの直交周波数分割多重（ＯＦＤＭ）シンボルにわたり、前記無線デバイスは、
物理リソースブロック（ＰＲＢ）の複数のセットのうちの１つで、前記ネットワークノード（１４）から前記ｓＰＤＣＣＨを受信するよう構成された送受信機（４９）を備える、無線デバイス。
【請求項３４】
請求項３３に記載の無線デバイス（１６）であって、前記ｓＰＤＣＣＨは２ＯＦＤＭシンボルから成る、無線デバイス。
【請求項３５】
請求項３３又は３４に記載の無線デバイス（１６）であって、ＰＲＢのシーケンシャル順序のインジケーションを、前記ネットワークノード（１４）から受信することを更に含む、無線デバイス。
【請求項３６】
ネットワークノードによってシグナリングされるショート物理下りリンク制御チャネル（ｓＰＤＣＣＨ）で情報を受信するための無線デバイス（１６）であって、前記ｓＰＤＣＣＨは、ショートリソースエレメントグループ（ｓＲＥＧ）を設定することによって時間‐周波数グリッドのリソースエレメントにマッピングされ、各ｓＲＥＧが、１つの直交周波数分割多重（ＯＦＤＭ）シンボルにわたり、前記無線デバイス（１６）は、
物理リソースブロック（ＰＲＢ）の複数のセットのうちの１つで、前記ネットワークノード（１４）から前記ｓＰＤＣＣＨを受信するよう構成された送受信機モジュール（４９）を備える、無線デバイス。
【発明の詳細な説明】
【技術分野】
【０００１】
無線通信、特に、ショート物理下りリンク制御チャネル（ｓＰＤＣＣＨ）のマッピング設計に関する。
【背景技術】
【０００２】
まず、本開示は、ロングタームエボリューション（ＬＴＥ：long term evolution）、即ち、発展型ユニバーサル地上無線アクセスネットワーク（Ｅ−ＵＴＲＡＮ：evolved universal terrestrial radio access network）のコンテキスト内で記載されていることに言及する。本明細書に記載の課題及びソリューションは、他のアクセス技術及び標準規格（例えば、５Ｇ Ｎｅｗ Ｒａｄｉｏ（ＮＲ））を実装する無線アクセスネットワーク及び無線デバイス（ユーザ装置（ＵＥ））に同様に適用可能であることが理解されるべきである。ＬＴＥは、技術例として使用され、それ故に、明細書におけるＬＴＥの使用は、課題及び課題を解決するソリューションを理解するのに特に有用である。
【０００３】
パケットデータの遅延は、ベンダ、オペレータ、及びエンドユーザも通常（速度試験アプリケーションを用いて）測定する性能メトリックの１つである。遅延の測定は、新たなソフトウェアリリース又はシステムコンポーネントを検証する際、システムを配置する際、及びシステムが商業的に運用される際に、無線アクセスネットワークシステムのライフタイムのあらゆるフェーズで行われる。
【０００４】
第３世代パートナシッププロジェクト（３ＧＰＰ）無線アクセス技術（ＲＡＴ）の過去の世代よりも短い遅延は、ロングタームエボリューション（ＬＴＥ）の設計を導いた１つの性能メトリックである。ＬＴＥはまた、現在では、インターネットへのより高速なアクセスと、モバイル無線技術の過去の世代よりも低いデータ遅延とを提供するシステムであると、エンドユーザによって認識されている。
【０００５】
データパケットの遅延は、システムの認識される応答性に対してのみならず重要であり、システムのスループットに間接的に影響を与えるパラメータでもある。ハイパーテキスト転送プロトコル／伝送制御プロトコル（ＨＴＴＰ／ＴＣＰ）は、重要なアプリケーションであり、今日のインターネットで使用されるトランスポート層のプロトコル群である。ＨＴＴＰアーカイブ（http://httparchive.org/trends.php）によれば、インターネット上でのＨＴＴＰベースのトランザクションの典型的なサイズは、最大１メガバイト（Ｍｂｙｔｅ）の、数１０キロバイト（Ｋｂｙｔｅ）範囲内である。このサイズ範囲では、ＴＣＰスロースタート期間は、パケットストリームの総転送期間のかなりの部分である。ＴＣＰスロースタートの期間中には性能は遅延に制限される。このため、遅延の改善により、このタイプのＴＣＰベースのデータトランザクションに対して、かなり容易に平均スループットが改善されうる。
【０００６】
無線リソース効率は、遅延の減少により良い影響を受けうる。より低いパケットデータ遅延により、ある遅延限界の範囲内に可能な送信回数を増加でき、それ故に、より高いブロック誤り率（ＢＬＥＲ：Block Error Rate）目標を、システムの容量を改善する可能性のある無線リソースを解放するデータ送信のために使用できる。
【０００７】
パケット遅延が減少した際に解決すべき１つの領域は、送信時間間隔（ＴＴＩ）の長さを解決することによる、データの転送時間及び制御シグナリングの減少である。ＬＴＥのリリース８では、ＴＴＩは、長さ１ミリ秒の１サブフレーム（ＳＦ）に相当する。１つのそのような１ｍｓのＴＴＩは、通常サイクリックプレフィックスの場合には１４個の直交周波数分割多重（ＯＦＤＭ）又はシングルキャリア周波数分割多元接続（ＳＣ−ＦＤＭＡ）シンボルを使用することによって、拡張サイクリックプレフィックスの場合には１２個のＯＦＤＭ又はＳＣ−ＦＤＭＡシンボルを使用することによって構成される。
【０００８】
現在、３ＧＰＰにおける作業（ＲＰ−１６１２９９を参照）は、スケジューリング及び送信がより早い時間スケールで行われうる「ショートＴＴＩ」又は「ｓＴＴＩ」動作の標準化を進めている。このため、レガシーＬＴＥサブフレームは、数個のｓＴＴＩに細分される。２、４及び７ＯＦＤＭシンボルのｓＴＴＩについてサポートされる長さが現在議論されている。下りリンク（ＤＬ）のデータ伝送は、ショート物理下りリンク共有チャネル（ｓＰＤＳＣＨ）を介してｓＴＴＩごとに生じ、制御領域のショート下りリンク制御チャネル（ｓＰＤＣＣＨ）を含みうる。上りリンク（ＵＬ）では、ショート物理上りリンク共有チャネル（ｓＰＵＳＣＨ）を介してｓＴＴＩごとにデータが送信され、ショート物理上りリンク制御チャネルを介して制御が送信されうる。
【０００９】
ＵＬ又はＤＬのｓＴＴＩを無線デバイスにスケジューリングするために異なる代替案がありうる。１つの代替案では、個別の無線デバイスが、無線リソース制御（ＲＲＣ）設定を介してショートＴＴＩ用のｓＰＤＣＣＨ候補に関する情報を受信し、当該情報は、無線デバイスに、ショートＴＴＩ用の制御チャネル（即ち、ｓＰＤＣＣＨ）を探すべきであることを伝える。ｓＴＴＩ用の下りリンク制御情報（ＤＣＩ）は、実際には、ｓＰＤＣＣＨに直接含まれる。他の代替案では、ｓＴＴＩ用のＤＣＩは、２つの部分、即ち、ＰＤＣＣＨで送信される低速ＤＣＩと、ｓＰＤＣＣＨで送信される高速ＤＣＩとに分割される。スローグラントは、ＤＬ用の周波数割り当てと、ショートＴＴＩ動作のために使用されるＵＬショートＴＴＩ帯域とを含みうるとともに、ｓＰＤＣＣＨ候補位置に関する微調整（refinement）も含みうる。
【００１０】
３ＧＰＰロングタームエボリューション（ＬＴＥ）技術は、（ｅＮＢと称される）基地局から（無線デバイス（ＷＤ）と称される）移動局への伝送が、直交周波数分割多重（ＯＦＤＭ）を用いて送信されるモバイルブロードバンド無線通信技術である。ＯＦＤＭは、信号を、周波数において多数の並列のサブキャリアに分割する。ＬＴＥにおける伝送の基本単位はリソースブロック（ＲＢ）であり、ＲＢは、最も一般的な構成では、通常サイクリックプレフィックスの場合、１２サブキャリア及び７ＯＦＤＭシンボル（１スロット）で構成される。拡張サイクリックプレフィックスの場合、ＲＢは、時間領域において６ＯＦＤＭシンボルで構成される。物理リソースにおけるＲＢを示す共通の用語は、物理リソースブロックである。同じ１２サブキャリアを使用する、同じフレーム内の２つのＰＲＢは、ＰＲＢペアと表記される。これは、ＬＴＥにおいてスケジューリング可能な最小のリソース単位である。
【００１１】
１サブキャリア及び１ＯＦＤＭシンボルの単位は、図１に示されるように、リソースエレメント（ＲＥ）と称される。このため、ＰＲＢは８４ＲＥで構成される。ＬＴＥ無線サブフレームは、図２に示されるように、ＰＲＢの数がシステムの帯域幅を決定する、周波数における多数のリソースブロック、及び時間における２つのスロットから成る。
【００１２】
時間領域において、ＬＴＥ下りリンク伝送は、１０ｍｓの無線フレームで構成され、各無線フレームは、長さＴsubframe＝１ｍｓの１０個の同じサイズのサブフレームから成る。無線リンク上でユーザへ送信されるメッセージは、概して、制御メッセージ又はデータメッセージに分類されうる。制御メッセージは、システムの適切な動作と、システム内の各無線デバイスの適切な動作とを促進するために使用される。制御メッセージは、無線デバイスからの送信電力、及び、ＲＢ内で無線デバイスによってデータが受信される又は無線デバイスからデータが送信される当該のシグナリング等の機能を制御するためのコマンドを含みうる。
【００１３】
リリース８では、設定に依存して、サブフレーム内の最初の１から４ＯＦＤＭシンボルが、図２に示されるように、そのような制御情報を含むために予約されている。更に、リリース１１では、拡張制御領域（発展型物理下りリンク制御チャネル−ＥＰＤＣＣＨ）が導入され、当該領域において、リリース１１以前のリリースの無線デバイスへの制御情報を含みうる最初の１から４シンボルをＰＲＢペアから除外しながら、ＥＰＤＣＣＨ伝送を排他的に含むためにＰＲＢペアが予約される。図３を参照。
【００１４】
このため、ＰＤＣＣＨがＰＤＳＣＨ伝送で時間多重されるのとは対称的に、ＥＰＤＣＣＨはＰＤＳＣＨ伝送で周波数多重される。ＰＤＳＣＨ伝送のためのリソース割り当て（ＲＡ）は、下りリンク制御情報（ＤＣＩ）フォーマットに依存して、いくつかのＲＡタイプで存在する。いくつかのＲＡタイプは、リソースブロックグループ（ＲＢＧ）の最小スケジューリング粒度を有する（ＴＳ ３６．２１１を参照）。ＲＢＧは、（周波数で）隣接するリソースブロックのセットであり、無線デバイスをスケジューリングする際に、無線デバイスは個別のＲＢ単位ではなくＲＢＧ単位でリソースを割り当てられる。
【００１５】
無線デバイスがＥＰＤＣＣＨから下りリンクでスケジューリングされる際、無線デバイスは、ＤＬ割り当てを運ぶＰＲＢペアが、リソース割り当てから除外される（即ち、レートマッチングが適用される）ことを想定しなければならない。例えば、無線デバイスが、隣接する３ＰＲＢペアのサイズのあるＲＢＧにおいてスケジューリングされ、これらのＰＲＢペアの１つがＤＬ割り当てを含む場合、無線デバイスは、ＰＤＳＣＨが、このＲＢＧの残りの２つのＰＲＢペアでのみ送信されることを想定しなければならない。なお、ＰＲＢペア内のＰＤＳＣＨと任意のＥＰＤＣＣＨ伝送との多重化は、リリース１１ではサポートされていない。
【００１６】
ＰＤＣＣＨ及びＥＰＤＣＣＨは、いくつかの無線デバイス（ＷＤ）の間で共有される無線リソースで送信される。各ＰＤＣＣＨは、（ＰＤＣＣＨが利用中のＣＣＥの数を制御することによって）リンクアダプテーションを可能にするための、制御チャネルエレメント（ＣＣＥ）として知られる、より小さな部分で構成される。無線デバイスが、無線デバイス固有のサーチスペースについてＣＣＥの４つのアグリゲーションレベル（即ち、１、２、４及び８）をモニタリングしなければならず、共通サーチスペースについてＣＣＥの２つのアグリゲーションレベル（即ち、４及び８）をモニタリングしなければならないことが、ＰＤＣＣＨについて規定されている。
【００１７】
ＴＳ３６．２１３の９．１．１節には、アグリゲーションレベルＬ∈｛１，２，４，８｝におけるサーチスペースＳk(L)は、ＣＣＥの隣接セットによって次式で与えられる。
(Ｚk(L)＋ｉ) mod ＮCCE,k      （１）
ここで、ＮCCE,kは、サブフレームｋの制御領域におけるＣＣＥの総数であり、Ｚk(L)は、サーチスペースのスタートを定め、ｉ＝０, １, ..., Ｍ(L)・Ｌ−１であり、Ｍ(L)は、所与のサーチスペースをモニタリングするためのＰＤＣＣＨの数である。各ＣＣＥは、３６個の直交位相シフトキーイング（ＱＰＳＫ）の変調シンボルである。Ｍ(L)の値は、以下に示されるように、３６．２１３の表９．１．１−１で規定されている。
【００１８】
2020502844.tif 000003
【００１９】
この定義では、異なるアグリゲーションレベルについてのサーチスペースが、システム帯域幅によらず互いにオーバラップしうる。より具体的には、無線デバイス固有のサーチスペースと共通のサーチスペースとがオーバラップする場合があり、異なるアグリゲーションレベルについてのサーチスペースがオーバラップする場合がある。全部で９つのＣＣＥと、ＰＤＣＣＨ候補間の非常に頻繁なオーバラップが存在する、以下に示される一例を参照されたい。
【００２０】
2020502844.tif 000004
【００２１】
制御情報のチャネル符号化、スクランブリング、変調及びインタリーブの後に、被変調シンボルは制御領域内のリソースエレメントにマッピングされる。複数のＰＤＣＣＨを制御領域に多重化するために、制御チャネルエレメント（ＣＣＥ）が定義され、各ＣＣＥは３６個のリソースエレメント（ＲＥ）にマッピングする。１つのＰＤＣＣＨは、情報ペイロードサイズ及びチャネル符号化保護の所要レベルに依存して、１、２、４又は８個のＣＣＥで構成され、その数は、ＣＣＥアグリゲーションレベル（ＡＬ）と表記される。アグリゲーションレベルを選択することによって、ＰＤＣＣＨのリンクアダプテーションが得られる。サブフレームで送信される全てのＰＤＣＣＨに使用可能なＣＣＥが全部でＮCCE個存在し、ＮCCEは、制御シンボルの数及び設定されるアンテナポートの数に依存して、サブフレームごとに変化する。
【００２２】
ＮCCEはサブフレームごとに変化し、端末は、ＰＤＣＣＨのために使用されるＣＣＥの位置及び数をブラインドで判定する必要があり、これは計算集約的な復号タスクでありうる。したがって、端末が行う必要がある、可能性のあるブラインド復号の回数にある程度の制約が導入されている。例えば、図４に示されるように、ＣＣＥは番号が付され、サイズＫのＣＣＥアグリゲーションレベルは、Ｋで一様に割り切れるＣＣＥ番号でのみ始まることができる。
【００２３】
端末がブラインドで復号して有効なＰＤＣＣＨをサーチする必要がある、ＣＣＥによって形成される候補制御チャネルのセットは、サーチスペースと称される。これは、図５に示されるように、スケジューリング割当又は他の制御情報を端末がモニタリングすべきＡＬ上のＣＣＥのセットである。各サブフレームにおいて及び各ＡＬ上で、端末は、ＣＣＥから形成されうる全てのＰＤＣＣＨを、そのサーチスペース内で復号することを試みる。ＣＲＣが一致する場合、ＰＤＣＣＨの内容は端末にとって有効であることが想定され、端末は受信した情報を更に処理する。多くの場合、２つ以上の端末は、オーバラップしているサーチスペースを有しており、ネットワークは、制御チャネルのスケジューリングのためにそれらのうちの１つを選択しなければならない。これが起きた場合、スケジューリングされていない端末は、ブロックされると考えられる。サーチスペースは、このブロッキング確率を最小化するためにサブフレームごとに疑似ランダムに変化する。
【００２４】
サーチスペースは、共通部分及び端末固有部分に更に分割される。共通のサーチスペースにおいては、全ての端末又は端末のグループに対する情報を含むＰＤＣＣＨが送信される（ページング、システム情報等）。キャリアアグリゲーションが使用される場合、端末は、プライマリコンポーネントキャリア（ＰＣＣ）のみに存在する共通のサーチスペースを見つける。共通のサーチスペースは、（ブロードキャストチャネルであり、リンクアダプテーションが使用できないため）十分なチャネル符号の保護をセル内の全ての端末に与えるために、アグリゲーションレベル４及び８に制限される。８又は４のＡＬにおいてそれぞれ、ｍ8及びｍ4個の最初の（最低のＣＣＥ番号を有する）ＰＤＣＣＨが、共通のサーチスペースに属する。システムにおけるＣＣＥの効率的な使用のために、残りのサーチスペースは各アグリゲーションレベルにおいて端末固有である。
【００２５】
図５は、ある端末がモニタリングする必要がある（強調された）サーチスペースを示している。この例では全部でＮCCE＝１５個のＣＣＥが存在し、共通のサーチスペースは、縞模様で示されている。
【００２６】
ＣＣＥは、当該ＣＣＥに対して固有の３６個のＲＥにマッピングされる３６個のＱＰＳＫ被変調シンボルで構成される。図６のブロックＳ１０−Ｓ２０に示されるように、ダイバーシチ及び干渉ランダム化を最大限にするために、セル固有のサイクリックシフト及びＲＥへのマッピングが行われる前に、全てのＣＣＥのインタリービングが使用される。なお、多くの場合、端末のサーチスペース及びアグリゲーションレベルに対するＰＤＣＣＨの位置の制約に起因して、いくつかのＣＣＥは空である。空のＣＣＥは、インタリービング処理及びＲＥへのマッピングにおいて、サーチスペース構成を維持するための任意の他のＰＤＣＣＨとして含められる。空のＣＣＥは、ゼロ電力に設定され、この電力は、ＰＤＣＣＨ伝送の更なる向上のために、空ではないＣＣＥによって代わりに使用されてもよい。
【００２７】
更に、４アンテナ送信（ＴＸ）ダイバーシチの使用を可能にするために、ＣＣＥ内の４つの隣接するＱＰＳＫシンボルのグループが、ＲＥグループ（ＲＥＧ）と表記される、４つの隣接するＲＥにマッピングされる。このため、ＣＣＥのインタリービングは、四重（４の群）ベースであり、マッピング処理は、１ＲＥＧの粒度を有し、１ＣＣＥは、９個のＲＥＧ（＝３６ＲＥ）に相当する。
【００２８】
システム帯域幅においてＰＤＣＣＨに使用可能なＲＥＧの数は一般に９ＲＥＧの偶数倍ではないため、（残りのＲＥＧは常に３６ＲＥより少ないが）一般にサイズＮCCEのＣＣＥのセットが決定された後の残りとして残っているＲＥＧのコレクションも存在することになる。これらの残りのＲＥＧは、ＬＴＥにおいてシステムによって使用されない。
【００２９】
ＰＤＣＣＨの場合と同様に、ＥＰＤＣＣＨは、複数の無線デバイスによって共有される無線リソース上で送信され、拡張ＣＣＥ（ｅＣＣＥ：enhanced CCE）が、ＰＤＣＣＨの場合のＣＣＥと同様に導入される。ｅＣＣＥも固定数のＲＥを有するが、ＥＰＤＣＣＨに使用可能なＲＥの数は、一般的に、この固定数よりも少ない。これは、多くのＲＥが、チャネル参照シンボルと称されるＣＲＳに対応する、セル固有参照信号（ＣＲＳ）、及びチャネル状態情報参照信号（ＣＳＩ−ＲＳ）といった、他の信号によって占有されるためである。符号チェーン・レートマッチングは、ｅＣＣＥに属するＲＥが、ＣＲＳ、ＣＳＩ−ＲＳ、レガシー制御領域、又は時分割多重（ＴＤＤ）の場合、ガード期間（ＧＰ）及び上りリンクパイロット時間スロット（ＵｐＰＴＳ）３６．２１１といった、他の競合する信号を含むたびに適用される。
【００３０】
図７の例を検討する。（ａ）は、使用可能なＲＥでＣＣＥが構成されるようにＣＲＳを避ける、ＰＤＣＣＨマッピングを示している。（ｂ）には、ｅＣＣＥが名目上３６ＲＥで構成されるが、競合する信号がある場合に使用可能なＲＥの数が少ない、即ち、ＥＰＤＣＣＨ用のＲＥの様子が示されている。競合する信号はサブフレーム依存であるため、ｅＣＣＥに使用可能なＲＥの数は、同様にサブフレーム依存となるとともに、競合がｅＣＣＥに対して不均一に影響する場合に、異なるｅＣＣＥに対して異なる場合さえもありうる。ＰＤＣＣＨの場合、３６個の使用可能なＲＥが常に存在し（ａ）、一方で、（ｂ）では、名目上の３６個は、より低い値が使用可能となるようにパンクチャされる。
【００３１】
なお、ＰＲＢペアごとのｅＣＣＥの数が２である場合、ｅＣＣＥごとの名目上のＲＥ数は３６ではなく、通常ＣＰ長及び拡張ＣＰ長に対してそれぞれ７２又は６４である。
【００３２】
リリース１１では、ＥＰＤＣＣＨは、無線デバイス固有のサーチスペースのみをサポートするのに対して、共通サーチスペースは、同一のサブフレーム内のＰＤＣＣＨにおいてモニタリングされることが維持される。将来のリリースでは、共通サーチスペースが、ＥＰＤＣＣＨ伝送に対しても導入されうる。
【００３３】
無線デバイスが、示された制約を有するｅＣＣＥアグリゲーションレベル１、２、４、８、１６及び３２をモニタリングすることが規定される。
【００３４】
分散型送信では、ＥＰＤＣＣＨは、最大でＤ個のＰＲＢペアのリソースエレメントにマッピングされ、Ｄ＝２、４又は８である（Ｄ＝１６の値は３ＧＰＰにおいて同様に検討中である）。このようにして、周波数ダイバーシチが、ＥＰＤＣＣＨメッセージに対して実現されうる。
【００３５】
図８は、分散型送信及び周波数ダイバーシチ又はサブバンド・プリコーディングを実現するための、ＰＲＢペアとして知られる拡張制御領域のうちの複数にマッピングされるＥＰＤＣＣＨに属する４つの部分を有する下りリンクサブフレームを示している。
【００３６】
局所型送信では、スペースが許す場合に（これは、アグリゲーションレベル１及び２、並びに通常サブフレーム及び通常ＣＰ長に対して、同様にレベル４に対して常に可能である）、ＥＰＤＣＣＨは、１つのＰＲＢペアのみに対してマッピングされる。ＥＰＤＣＣＨのアグリゲーションレベルが大きすぎる場合には、第２のＰＲＢペアが同様に使用され、以下同様であり、ＥＰＤＣＣＨに属する全てのｅＣＣＥがマッピングされるまで、より多くのＰＲＢペアを使用する。局所型送信の説明のため図９を参照されたい。
【００３７】
図９は、局所型送信を実現するための、拡張制御領域のうちの１つにマッピングされるＥＰＤＣＣＨに属する４つのｅＣＣＥを示す下りリンクサブフレームを示している。
【００３８】
一例として、通常ＣＰ長を有し、ｎEPDCCH≧１０４を有する通常サブフレームにおいて、局所型送信は、アグリゲーションレベル（１，２，４，８）を使用し、それらは（１，１，１，２）個のＰＲＢペアにそれぞれマッピングされる。
【００３９】
物理リソースに対するｅＣＣＥのマッピングを容易にするために、各ＰＲＢペアは、１６個の拡張リソースエレメントグループに分割され、各ｅＣＣＥは、通常サイクリックプレフィックス及び拡張サイクリックプレフィックスに対してそれぞれ４又は８個のｅＲＥＧに分割される。ＥＰＤＣＣＨは、結果として、アグリゲーションレベルに依存して４又は８個のｅＲＥＧのうちの複数にマッピングされる。ｅＰＤＣＣＨに属するこれらのｅＲＥＧは、（局所型送信に典型的なように）単一のＰＲＢペアに存在するか、又は、（分散型送信に典型的なように）ＰＲＢペアのうちの複数に存在する。
【発明の概要】
【００４０】
低遅延データをショートＴＴＩ上で素早くスケジューリングするために、新たなショートＰＤＣＣＨ（ｓＰＤＣＣＨ）が定義されうる。ショートＴＴＩ動作がレガシーＴＴＩ動作との共存のために求められるため、レガシーデータに対してリソースを残しつつ、ｓＰＤＣＣＨはＰＤＳＣＨ内の帯域内に位置付けられるべきである。
【００４１】
レガシー制御チャネルＰＤＣＣＨとＥＰＤＣＣＨはそれぞれ、ＣＲＳ及びＤＭＲＳ復調を使用する。これらの両方の環境における動作のために、ｓＰＤＣＣＨは、ＣＲＳ及びＤＭＲＳの両方をサポートすべきであり、効率を維持するために、ｓＰＤＣＣＨによって使用されていないリソースが、ｓＰＤＳＣＨ（ショートＰＤＳＣＨ）によって使用されるべきである。
【００４２】
本書面においてｓＰＤＣＣＨ（ショートＴＴＩ用のＰＤＣＣＨ）と称される、ショートＴＴＩに固有のＤＬ制御チャネルが、ショートＴＴＩ用に導入される。そのため、効率的な設計が、ｓＰＤＣＣＨ候補を時間‐周波数グリッドのリソースエレメント（ＲＥ）にマッピングするために定められる。
【００４３】
いくつかの実施形態は、高い周波数ダイバーシチ及び凝縮した（condensed）周波数割り当てのうちの１つを実現するために、ショート物理下りリンク制御チャネル（ｓＰＤＣＣＨ）を時間‐周波数グリッドのリソースエレメントにマッピングするための方法、ネットワークノード及び無線デバイスを有利に提供する。一態様によれば、ショート物理下りリンク制御チャネル（ｓＰＤＣＣＨ）を時間‐周波数グリッドのリソースエレメントにマッピングするための方法が提供される。本方法は、ショートリソースエレメントグループ（ｓＲＥＧ）として設定される使用可能な時間‐周波数リソースを決定することを含む。本方法は更に、ｓＰＤＣＣＨをリソースエレメントにマッピングするために、物理リソースブロック（ＰＲＢ）内にｓＲＥＧを設定することを含み、各ｓＲＥＧは１ＯＦＤＭシンボルにわたる。
【００４４】
この態様によれば、いくつかの実施形態において、ｓＲＥＧは、セル固有参照信号（ＣＲＳ）、及び復調参照信号（ＤＭＲＳ）ベースｓＰＤＣＣＨに適用されるＤＭＲＳの少なくとも１つのためのリソースエレメント（ＲＥ）を含む１ＯＦＤＭシンボル内の１ＰＲＢで構成される。いくつかの実施形態において、ｓＲＥＧは、ＣＲＳとＣＲＳベースｓＰＤＣＣＨに適用されるＤＭＲＳとの少なくとも１つのためのリソースエレメント（ＲＥ）を含む１ＯＦＤＭシンボル内の１ＰＲＢで構成される。いくつかの実施形態において、ｓＲＥＧは、周波数領域において局所化されるように設定されるか、周波数領域において分散されるように設定されるかのうちの一方である。いくつかの実施形態において、本方法は更に、ｓＲＥＧへのショート制御チャネルエレメント（ｓＣＣＥ）の分散型又は局所型マッピングのうちの１つでＣＲＳベースのｓＰＤＣＣＨリソースブロックセットを使用するよう、無線リソース制御（ＲＲＣ）シグナリングによって無線デバイスを設定することを含む。いくつかの実施形態において、本方法は更に、ｓＲＥＧへのｓＣＣＥの分散型又は局所型マッピングのうちの１つでＤＭＲＳベースのｓＰＤＣＣＨリソースブロックセットを使用するよう、ＲＲＣシグナリングによって無線デバイスを設定することを含む。いくつかの実施形態において、本方法は更に、少なくともＰＲＢのセットとｓＲＥＧへの局所型及び分散型ｓＣＣＥのマッピングとでｓＰＤＣＣＨ ＰＲＢセットを設定することを含む。いくつかの実施形態において、１ＯＦＤＭシンボルｓＰＤＣＣＨがＣＲＳベース送信用に定義される。いくつかの実施形態において、ＣＲＳベースｓＰＤＣＣＨについて、２又は３ｓＰＤＣＣＨシンボルのショート送信時間間隔（ｓＴＴＩ）では、ＲＢセットごとのＯＦＤＭシンボルの数は１及び２のうちの１つである。いくつかの実施形態において、ＣＲＳベースｓＰＤＣＣＨについて、１スロットｓＴＴＩでは、ＲＢセットごとのＯＦＤＭシンボルの数は１及び２のうちの１つである。いくつかの実施形態において、２ＯＦＤＭシンボルｓＰＤＣＣＨがＤＭＲＳベース送信用に定義される。いくつかの実施形態において、ＣＲＳベースｓＰＤＣＣＨについて、２ｓＰＤＣＣＨシンボルｓＴＴＩでは、ＲＢセットごとのＯＦＤＭシンボルの数は２である。いくつかの実施形態において、ＤＭＲＳベースｓＰＤＣＣＨについて、３シンボルｓＴＴＩでは、ＲＢセットごとのＯＦＤＭシンボルの数は３である。いくつかの実施形態において、ＤＭＲＳベースｓＰＤＣＣＨについて、１スロットｓＴＴＩでは、ＲＢセットごとのＯＦＤＭシンボルの数は２である。
【００４５】
他の態様によれば、ショート物理下りリンク制御チャネル（ｓＰＤＣＣＨ）を時間‐周波数グリッドのリソースエレメントにマッピングするためのネットワークノード１４が提供される。ネットワークノードは、ショートリソースエレメントグループ（ｓＲＥＧ）として設定される使用可能な時間‐周波数リソースを決定するよう構成された処理回路を備える。処理回路は更に、ｓＰＤＣＣＨをリソースエレメントにマッピングするために、物理リソースブロック（ＰＲＢ）内にｓＲＥＧを設定するよう構成され、各ｓＲＥＧは１ＯＦＤＭシンボルにわたる。
【００４６】
いくつかの実施形態において、ｓＲＥＧは、ＣＲＳとＤＭＲＳベースｓＰＤＣＣＨに適用されるＤＭＲＳとの少なくとも１つのためのリソースエレメント（ＲＥ）を含む１ＯＦＤＭシンボル内の１ＰＲＢで構成される。いくつかの実施形態において、ｓＲＥＧは、ＣＲＳとＣＲＳベースｓＰＤＣＣＨに適用されるＤＭＲＳとの少なくとも１つのためのＲＥを含む１ＯＦＤＭシンボル内の１ＰＲＢで構成される。いくつかの実施形態において、ｓＲＥＧは、周波数領域において局所化されるように設定されるか、周波数領域において分散されるように設定されるかのうちの一方である。いくつかの実施形態において、処理回路は更に、ｓＲＥＧへのｓＣＣＥの分散型又は局所型マッピングのうちの１つでＣＲＳベースのｓＰＤＣＣＨリソースブロックセットを使用するよう、ＲＲＣによって無線デバイスを設定するよう構成される。いくつかの実施形態において、処理回路は更に、ｓＲＥＧへのｓＣＣＥの分散型又は局所型マッピングのうちの１つでＤＭＲＳベースのｓＰＤＣＣＨリソースブロックセットを使用するよう、ＲＲＣシグナリングによって無線デバイスを設定するよう構成される。いくつかの実施形態において、処理回路は更に、少なくともＰＲＢのセットとｓＲＥＧへの局所型及び分散型ｓＣＣＥのマッピングとでｓＰＤＣＣＨ ＰＲＢセットを設定するよう構成される。いくつかの実施形態において、１ＯＦＤＭシンボルｓＰＤＣＣＨがセル固有参照信号（ＣＲＳ）ベースの送信用に定義される。いくつかの実施形態において、ＣＲＳベースｓＰＤＣＣＨについて、２又は３ｓＰＤＣＣＨシンボルのｓＴＴＩでは、ＲＢセットごとのＯＦＤＭシンボルの数は１及び２のうちの１つである。いくつかの実施形態において、ＣＲＳベースｓＰＤＣＣＨについて、１スロットｓＴＴＩでは、ＲＢセットごとのＯＦＤＭシンボルの数は１及び２のうちの１つである。いくつかの実施形態において、２ＯＦＤＭシンボルｓＰＤＣＣＨがＤＭＲＳベースの送信用に定義される。いくつかの実施形態において、ＣＲＳベースｓＰＤＣＣＨについて、２ｓＰＤＣＣＨシンボルｓＴＴＩでは、ＲＢセットごとのＯＦＤＭシンボルの数は２である。いくつかの実施形態において、ＤＭＲＳベースｓＰＤＣＣＨについて、３シンボルｓＴＴＩでは、ＲＢセットごとのＯＦＤＭシンボルの数は３である。いくつかの実施形態において、ＤＭＲＳベースｓＰＤＣＣＨについて、１スロットｓＴＴＩでは、ＲＢセットごとのＯＦＤＭシンボルの数は２である。
【００４７】
他の態様によれば、高い周波数ダイバーシチ及び凝縮した周波数割り当てのうちの１つを実現するために、ショート物理下りリンク制御チャネル（ｓＰＤＣＣＨ）を時間‐周波数グリッドのリソースエレメントにマッピングするためのネットワークノードが提供される。ネットワークノードは、時間‐周波数グリッドのリソースエレメントへのｓＰＤＣＣＨのマッピングを格納するよう構成されたメモリモジュールを備える。ネットワークノードは更に、ｓＰＤＣＣＨをリソースエレメントにマッピングするために、物理リソースブロック（ＰＲＢ）内にｓＲＥＧを設定するよう構成された、ショートリソースエレメントグループ（ｓＲＥＧ）設定モジュールを備え、各ｓＲＥＧは１ＯＦＤＭシンボルにわたる。
【００４８】
更に他の態様によれば、ネットワークノード１４によってシグナリングされるｓＰＤＣＣＨで情報を受信するための、無線デバイスにおける方法が提供され、ｓＰＤＣＣＨは、ｓＲＥＧを設定することによって時間‐周波数グリッドのリソースエレメントにマッピングされる。本方法は、ＰＲＢの複数のセットのうちの１つでネットワークノードからｓＰＤＣＣＨを受信することを含む。
【００４９】
この態様によれば、いくつかの実施形態において、ｓＰＤＣＣＨは２ＯＦＤＭシンボルから成る。いくつかの実施形態において、本方法は更に、ＰＲＢのシーケンシャル順序のインジケーションを、ネットワークノードから受信することを含む。
【００５０】
他の態様によれば、ネットワークノードによってシグナリングされるｓＰＤＣＣＨで情報を受信するための無線デバイスが提供され、ｓＰＤＣＣＨは、ｓＲＥＧを設定することによって時間‐周波数グリッドのリソースエレメントにマッピングされ、各ｓＲＥＧは、１つの直交周波数分割多重（ＯＦＤＭ）シンボルにわたる。無線デバイスは、ＰＲＢの複数のセットのうちの１つでネットワークノードからｓＰＤＣＣＨを受信するよう構成された送受信機を備える。
【００５１】
この態様によれば、いくつかの実施形態において、ｓＰＤＣＣＨは２ＯＦＤＭシンボルから成る。いくつかの実施形態において、送受信機は更に、ＰＲＢのシーケンシャル順序のインジケーションを、ネットワークノードから受信するように構成される。
【００５２】
更に他の態様によれば、ネットワークノードによってシグナリングされるｓＰＤＣＣＨで情報を受信するための無線デバイスが提供され、ｓＰＤＣＣＨは、ｓＲＥＧを設定することによって時間‐周波数グリッドのリソースエレメントにマッピングされる。無線デバイスは、ＰＲＢの複数のセットのうちの１つでネットワークノードからｓＰＤＣＣＨを受信するよう構成された送受信機モジュールを備える。
【図面の簡単な説明】
【００５３】
本実施形態のより徹底的な理解と、それらについての付随する利点及び特徴が、以下の添付図面と組み合わせて検討された場合に以下の詳細な説明を参照することで容易に理解される。
【００５４】
【図１】図１は、時間‐周波数グリッドの図である。
【図２】図２は、下りリンクサブフレームの図である。
【図３】図３は、１０ＲＢペア及び３ｅＰＤＣＣＨ領域の構成を示す、下りリンクサブフレームの図である。
【図４】図４は、ＣＣＥアグリゲーションの図である。
【図５】図５は、無線デバイスによってモニタリングされるサーチスペースを示す図である。
【図６】図６は、ＰＤＣＣＨ形成のための処理ステップのフローチャートである。
【図７】図７は、ＣＣＥとｅＣＣＥとの違いを示す。
【図８】図８は、ｅＰＤＣＣＨに属する４部分を有する下りリンクサブフレームである。
【図９】図９は、４ｅＣＣＥの異なるマッピングを示す下りリンクサブフレームである。
【図１０】図１０は、１ＯＦＤＭシンボルのための、ＰＲＢベースのｓＲＥＧと、分割（fractioned）ＰＲＢベースのｓＲＥＧである。
【図１１】図１１は、本明細書に記載の原理に従って構成された無線通信システムのブロック図である。
【図１２】図１２は、本明細書に記載の原理に従って構成されたネットワークノードのブロック図である。
【図１３】図１３は、ネットワークノードの代替の実施形態のブロック図である。
【図１４】図１４は、本明細書に記載の原理に従って構成された無線デバイスのブロック図である。
【図１５】図１５は、無線デバイスの代替の実施形態のブロック図である。
【図１６】図１６は、ネットワークノードにおける典型的な処理のフローチャートである。
【図１７】図１７は、無線デバイスにおいてｓＰＤＣＣＨを確認するための典型的な処理のフローチャートである。
【図１８】図１８は、１８ＰＲＢのセットについてのＯＦＤＭ分散型方式である。
【図１９】図１９は、１ＯＦＤＭシンボルのｓＰＤＣＣＨ局所型方式である。
【図２０】図２０は、２ＯＦＤＭシンボルのｓＰＤＣＣＨ分散型方式である。
【図２１】図２１は、２ＯＦＤＭシンボルのｓＰＤＣＣＨ局所型方式である。
【図２２】図２２は、追加の２ＯＦＤＭシンボルのｓＰＤＣＣＨ分散型方式である。
【発明を実施するための形態】
【００５５】
典型的な実施形態を詳しく説明する前に、実施形態は、主としてショート物理下りリンク制御チャネル（ｓＰＤＣＣＨ）のマッピングの設計に関連する装置コンポーネント及び処理ステップの組み合わせに属することが留意される。このため、コンポーネントは、適切な場合には、図面内の従来の記号で表現され、図面は、本明細書の記載の恩恵を有する当業者に容易に明らかになる内容を有する開示を分かりにくくしないように、実施形態の理解に関連する具体的な内容のみを示している。
【００５６】
本明細書で使用されるように、「第１の」及び「第２の」、「上部の」及び「下部の」等の、関係を示す用語は、そのようなエンティティ間又はエレメント間の物理的又は論理的な関係又は順序を必ずしも必要とする又は示唆することなく、単に１つのエンティティ又はエレメントを他のエンティティ又はエレメントから区別するために使用されうる。
【００５７】
なお、無線デバイス又はネットワークノードによって実行されるものとして本明細書に記載の機能は、複数の無線デバイス及び／又はネットワークノードに分散されてもよい。言い換えれば、本明細書に記載のネットワークノード及び無線デバイスの機能は、単一の物理デバイスによる実行に限定されず、実際には、いくつかの物理デバイス間で分散されることも可能である。
【００５８】
本明細書で使用される無線デバイス又はユーザ装置（ＵＥ）との用語は、セルラ又は移動通信システム内のネットワークノード及び／又は他の無線デバイスと通信する任意のタイプの無線デバイスを示しうる。無線デバイスの例は、目標デバイス、デバイス・ツー・デバイス（Ｄ２Ｄ）無線デバイス、マシンタイプ無線デバイス又はマシン・ツー・マシン（Ｍ２Ｍ）通信が可能な無線デバイス、ＰＤＡ、ｉＰＡＤ、タブレット、モバイル端末、スマートフォン、laptop embedded equipped（ＬＥＥ）、laptop mounted equipment（ＬＭＥ）、ＵＳＢドングル等である。
【００５９】
本明細書で使用される「ネットワークノード」との用語は、コアネットワークノード、ＭＳＣ、ＭＭＥ、Ｏ＆Ｍ、ＯＳＳ、ＳＯＮ、測位ノード（例えば、Ｅ−ＳＭＬＣ）、ＭＤＴノード等の、無線ネットワークノード又は他のネットワークノードを示しうる。
【００６０】
本明細書で使用される「無線ネットワークノード」との用語は、無線ネットワーク内の任意の種類のネットワークノードであってよく、基地局（ＢＳ）、無線基地局、ベーストランシーバ局（ＢＴＳ）、基地局制御装置（ＢＳＣ）、無線ネットワーク制御装置（ＲＮＣ）、発展型ＮｏｄｅＢ（ｅＮＢ又はｅＮｏｄｅＢ）、ＮｏｄｅＢ、ＭＲＳ ＢＳのようなマルチスタンダード無線（ＭＲＳ）無線ノード、中継ノード、ドナーノード制御中継器、無線アクセスポイント（ＡＰ）、送信ポイント、送信ノード、リモートラジオユニット（ＲＲＵ）、リモートラジオヘッド（ＲＲＨ）、分散アンテナシステム（ＤＡＳ）内のノード等を更に含みうる。
【００６１】
本明細書において実施形態は、ネットワークノードによって実行される特定の機能に関連して記載されているが、当該機能は、他のネットワークノード及びエレメントで実行されてもよいことが理解される。他のノードが、本明細書に記載の機能のうちの１つ以上の機能又は一部でさえ実行できるように、ネットワークノードの機能はネットワーククラウドにわたって分散されてもよいことも理解される。
【００６２】
リソースエレメント（ＲＥ）へのｓＰＤＣＣＨ用のフレキシブルなマッピングを提案する。提案マッピングは、種々のモードを有し、各モードは、チャネルの又は改良型の送信モードの特殊性の活用を可能にする。１つのモードでは、大きな周波数ダイバーシチが実現され、他のモードでは、例えばビームフォーミングベースの送信モードのための、凝縮した周波数割り当てが可能になる。提案マッピングは、種々の数のＯＦＤＭシンボルに対して拡張できる。以下では、１及び２ＯＦＤＭシンボルがｓＰＤＣＣＨによって使用される場合についての例が与えられるが、提案設計は、より多い数のＯＦＤＭシンボルであっても適合できる。
【００６３】
ネットワークノード（例えばｅＮＢ）によるスケジューリングの決定によって全て制御される、１又は２シンボルのｓＰＤＣＣＨの局所型配置又は分散型配置を選択するために同一の方式を使用でき、提案設計は、高い周波数ダイバーシチ又は凝縮した周波数割り当てを実現でき、提案設計は、いくつかのＯＦＤＭシンボルのうちの１つのｓＰＤＣＣＨ時間領域に適合できる。提案ｓＰＤＣＣＨ設計によれば、異なる参照信号に依存する送信モードを有するユーザ（例えば、ＣＲＳユーザ及びＤＭＲＳユーザ）が、同一のｓＴＴＩ上に共存できる。提案設計は、ｓＰＤＣＣＨ上の未使用のリソースを、ｓＰＤＳＣＨ用に利用することを可能にする。
【００６４】
リソースエレメントへのｓＰＤＣＣＨマッピングの定義を容易にするために、特別なエンティティ、即ち、ｓＲＥＧ及びｓＣＣＥが定義されている。これは、上述のように、ＰＤＣＣＨ及びｅＰＤＣＣＨを定義するためにＬＴＥ仕様でこれまで使用されている方法に従っている。なお、同じマッピングの定義を、これらの用語を使用せずに、又は等価な用語を使用することによって行うことも可能である。
【００６５】
より長い長さを検討することが可能であったとしても、時間領域におけるｓＰＤＣＣＨについての可能性の長さは、ｓＴＴＩ動作のために１又は２ＯＦＤＭシンボルである。ｓＴＴＩの所与のＯＦＤＭシンボル内のＰＲＢのＲＥは、１つ以上のｓＲＥＧで構成されうる。割り当ての柔軟性を提供するため及び良好な周波数ダイバーシチをサポートするために、ｓＲＥＧ内のＲＥの数も可変であってもよい。
【００６６】
一実施形態では、ｓＰＤＣＣＨ用の２つのｓＲＥＧ設定のオプションが定義される：
●ＰＲＢベースのｓＲＥＧ、これは、ｓＲＥＧが、１ＯＦＤＭシンボル内のＰＲＢに含まれるＲＥの全数で構成されることを意味する（即ち、１ＯＦＤＭシンボルについてｓＲＥＧごとに１２ＲＥ）、又は
●部分ＰＲＢベースのｓＲＥＧ、これは、１ＯＦＤＭシンボル内のＰＲＢに含まれるＲＥの数が分割されてｓＲＥＧに割り当てられることを意味する（例えば、ｓＲＥＧごとに６ＲＥ）。
【００６７】
図１０には、これら２つのｓＲＥＧ設定オプションが示されており、ｓＲＥＧごとに６ＲＥを有する１ＯＦＤＭシンボルのｓＰＤＣＣＨ（オプション１ａ及び１ｂ）と、ｓＲＥＧごとに１２ＲＥを有する２ＯＦＤＭシンボルのｓＰＤＣＣＨ（オプション２ａ及び２ｂ）を検討している。各インデックス、即ち、｛０，１，２，３｝は、ｓＲＥＧグループを表す。このように、図示されるとおり、１ＯＦＤＭシンボルｓＰＤＣＣＨについては、最大で２ｓＲＥＧグループまで設定可能であり、１ＯＦＤＭシンボルｓＰＤＣＣＨについては、最大で４ｓＲＥＧグループまで設定可能である。ｓＲＥＧは単一のＯＦＤＭシンボルのみにわたることが理解されうる。このように、ｓＲＥＧは、時間領域において１ＯＦＤＭシンボルのみに及んでいる。これにより、時間領域においてより多くのＯＦＤＭシンボルへのｓＰＤＣＣＨ設計の容易な拡張が可能になる。この原理（即ち、ｓＲＥＧが及ぶ１ＯＦＤＭシンボルのみ、即ち、ｓＲＥＧは１ＯＦＤＭシンボルのみの時間領域長を有し、これは任意の例に適用可能）に従うと、ＯＦＤＭシンボルのリソースエレメントが例えば２ｓＲＥＧ超に分割される代替の分割ＰＲＢベースｓＲＥＧを考えることが可能である。しかし、異なるＯＦＤＭシンボル数に適合可能な設計を実現する１つの方法は、ｓＲＥＧが単一のＯＦＤＭシンボルのみにわたるという条件を適用することである。
【００６８】
他の実施形態では、１ＯＦＤＭシンボルｓＰＤＣＣＨが、２ＯＦＤＭシンボルｓＴＴＩについての早期の復号の利点に起因して、ＣＲＳベース送信に対して定義される一方、２つ以上のＯＦＤＭシンボルｓＰＤＣＣＨが１スロット長のＴＴＩに対して設定されうる。２ＯＦＤＭシンボルｓＴＴＩ設定に対する代替案として、２つ以上のＯＦＤＭシンボルｓＰＤＣＣＨが、少ないｓＴＴＩ帯域を可能にするために、即ち、ｓＴＴＩ動作のために使用される周波数リソースの数を制限するために使用されうる。
【００６９】
更なる実施形態では、２ＯＦＤＭシンボルｓＴＴＩを用いるＤＭＲＳベース送信について、レガシーＬＴＥのように時間領域におけるＤＭＲＳペアに基づく設計を想定して、２ＯＦＤＭシンボルｓＰＤＣＣＨが定義される。２ＯＦＤＭシンボルｓＰＤＤＣＨが定義され、これは無線デバイスがチャネル推定のためにｓＴＴＩの終わりを待つためである。このような場合には、ＤＭＲＳは、ｓＴＴＩの所与のＰＲＢにおいてｓＰＤＣＣＨとｓＰＤＳＣＨとの間で共有されない。これは、ｓＰＤＣＣＨにビームフォーミングを適用するためのより大きな自由度をもたらす。１スロットｓＴＴＩを有するＤＭＲＳでは、２シンボルｓＰＤＣＣＨが適している。１スロットＴＴＩについて１ＤＭＲＳペアが、ｓＰＤＣＣＨについてのチャネル推定及び早期のｓＰＤＣＣＨの復号を行うことが可能になるために望ましい。
【００７０】
それ故に、ＤＭＲＳ、ＣＲＳ又はＣＳＩ−ＲＳのようなｓＴＴＩ内の潜在的な参照信号の存在を考慮すると、ＰＲＢ内のこれらの信号によって占有されるＲＥは、所与のｓＲＥＧのために使用されない。
【００７１】
所与のｓＰＤＣＣＨについてｓＣＣＥを構成するために必要となるｓＲＥＧの数は、ｓＴＴＩ動作に使用される周波数リソースのうちのそれらの配置方法と同様に、変化しうる。このため、一実施形態では、ｓＣＣＥは、理想的には、ｅＣＣＥ又はＣＣＥのように３６ＲＥで構成されるように定義される。そのため、以下で更に説明するように、ｓＣＣＥは、ｓＰＤＣＣＨのために割り当てられたＯＦＤＭシンボル数に依存して、ＰＲＢベースのＳＲＥＧ又は分割ＰＲＢベースのｓＲＥＧのいずれかで構成される。
【００７２】
良好な周波数ダイバーシチ又はより局所化された配置をサポートするために、
同じｓＣＣＥを形成するｓＲＥＧの局所型配置方式及び分散型配置方式が定義される：
●局所型方式：同じｓＣＣＥを形成するｓＲＥＧは、限定された周波数帯域内に制限されたｓＰＤＣＣＨリソース割り当てを可能にするために、周波数領域において局所化されうる。これにより、ＤＭＲＳベースのｓＰＤＣＣＨのためのビームフォーミングの使用が容易になる。
●分散型方式：分散型ｓＲＥＧ配置は、周波数ダイバーシチ利得を与えるために使用されうる。この場合、複数の無線デバイスは、異なるＲＥ上の同じＰＲＢにマッピングされるｓＰＤＣＣＨのｓＲＥＧを有しうる。広い周波数範囲に分散することにより、１つの単一ＯＦＤＭシンボルにｓＰＤＣＣＨをフィットさせることがより容易にもなる。ＤＭＲＳベースの復調を行う無線デバイスについては、ユーザ固有のビームフォーミングは、分散型ｓＣＣＥ配置では推奨されない。
【００７３】
更なる実施形態では、１ＯＦＤＭシンボルｓＰＤＣＣ及び２ＯＦＤＭシンボルｓＰＤＣＣＨに基づくｓＣＣＥを形成するために以下で説明するこれらの方式は、ＣＲＳ及びＤＭＲＳ送信に使用できる。
【００７４】
同様に、いくつかの実施形態は、以下の検討を考慮している：
●ＣＲＳユーザ及びＤＭＲＳユーザは、同じｓＴＴＩ上に共存してもよく、これはｓＰＤＣＣＨ設計が同じであるためである。
●ＣＲＳユーザ及びＤＭＲＳユーザの両方が同じＰＲＢで下りリンク制御情報（ＤＣＩ）を与えられる場合、これはＣＲＳユーザに対して知らされうる。その場合、ＣＲＳユーザは、いくつかのＲＥがｓＣＣＥに使用されていないことを把握する。それ以外の場合、ＣＲＳユーザ及びＤＭＲＳユーザは、異なるＰＲＢでＤＣＩを送られうる。
【００７５】
ｓＰＤＣＣＨに使用されうるＰＲＢの少なくとも１つのセットが、ユーザごとに設定される。局所型ｓＰＤＣＣＨマッピングに従う１セットのＰＲＢと、分散型マッピングを有する他のセットとを設定するように、ｓＰＤＣＣＨに使用されるいくつかのＰＲＢセットの設定をサポートすることが推奨される。無線デバイスが両方のセットをモニタリングしうるとともに、ネットワークノードは、所与のｓＴＴＩ及び無線デバイスに対してより有益な設定／ＰＲＢセットを選択しうる。
【００７６】
ある実施形態において、ｓＰＤＣＣＨに対して割り当てられたＰＲＢのセットは、使用可能なｓＴＴＩ帯域からの（必ずしも連続的していない）ＰＲＢを含み、当該セットは、無線リソース制御（ＲＲＣ）シグナリングのような、より高いレイヤのシグナリングを介して設定されうる。しかし、これは、ＰＤＣＣＨで伝送されるスロー下りリンク制御情報（ＤＣＩ）の可能性のあるリソース割り当ての改良、例えば、低減されたＰＲＢのセット又はいくつかのｓＰＤＣＣＨセットの場合の特定セットが定義されること、を必要としうる。本明細書に記載の方式のいくつかについては、簡単化のため、１０ＭＨｚ（即ち、５０ＰＲＢ）の帯域幅が想定されており、そのうちの１８ＰＲＢのセット（必ずしも連続した物理ＰＲＢではない）が、ネットワークノードによってｓＰＤＣＣＨのために割り当てられる。しかし、全ての方式は更に全システム帯域幅を含みうる。
【００７７】
ある実施形態では、ＰＲＢのセットは、独立して（例えばＰＲＢビットマップとして）設定される。他の実施形態では、当該セットは、ＰＲＢのグループに基づいて設定される。ＬＴＥにおいて既に定義されているＰＲＢのグループの一例は、リソースブロックグループ（ＲＢＧ）と称され、提案ｓＰＤＣＣＨマッピングの基礎として使用されうる。その場合、同じＰＲＢグループ（例えばＲＧＢ）内の全てのＰＲＢは一緒に使用されうる。
【００７８】
ある実施形態では、設定されたＰＲＢセットに含まれるＰＲＢ又はＰＲＢのグループは、それらへのｓＰＤＣＣＨのマッピングの前に無線デバイスにシグナリングされた順序に従って順序付けされうる。
【００７９】
図１１−図１７は、上述の特徴を実現するハードウェア及びフローチャートを示している。図１１は、本明細書に記載の原理に従って構成された無線通信システム１０のブロック図である。無線通信ネットワーク１０は、インターネット及び／又は公衆交換電話網（ＰＳＴＮ）を含みうるクラウド１２を含む。クラウド１２は、無線通信ネットワーク１０のバックホールネットワークとしても機能しうる。無線通信ネットワーク１０は、１つ以上のネットワークノード１４Ａ及び１４Ｂを含み、それらはＬＴＥの実施形態におけるＸ２インタフェースを介して直接通信してもよく、それらはまとめてネットワークノード１４と称される。Ｎｅｗ Ｒａｄｉｏ（ＮＲ）のような他の通信プロトコルのためにネットワークノード１４間の通信に他のインタフェースタイプが使用されうることも考えられる。ネットワークノード１４は、本明細書においてまとめて無線デバイス１６と称される無線デバイス１６Ａ及び１６Ｂにサービスを行いうる。なお、２つの無線デバイス１６及び２つのネットワークノード１４のみが便宜上示されているが、無線通信ネットワーク１０は、通常、より多くの無線デバイス（ＷＤ）１６及びネットワークノード１４を含んでもよい。更に、いくつかの実施形態では、ＷＤ１６は、サイドリンク接続と称される場合があるものを使用して直接通信してもよい。
【００８０】
ネットワークノード１４は、各ｓＲＥＧが１ＯＦＤＭシンボルにわたる、物理リソースブロック（ＰＲＢ）内で、ショートリソースエレメントグループ（ｓＲＥＧ）を設定するよう構成された、ｓＲＥＧ設定ユニット１８を含む。いくつかの態様及び任意の例では、ＰＲＢ内のｓＲＥＧは、１ＰＲＢ、例えば１２サブキャリア、の周波数領域のサイズと等しい周波数領域のサイズを有するｓＲＥＧに相当する。いくつかの態様では、各ｓＲＥＧは、周波数において１ＰＲＢに対して広がっている。無線デバイス１６は、ｓＰＤＣＣＨに使用されているＰＲＢの複数のセットと、リソースエレメントへの局所型ｓＰＤＣＣＨマッピング用に設定された少なくとも１つのセットと、リソースエレメントへの分散型ｓＰＤＣＣＨマッピング用に設定された少なくとも他のセットとをモニタリングするよう構成された、ＰＲＢモニタリングユニット２０を含む。
【００８１】
図１２は、上述のように時間‐周波数グリッドのリソースエレメントにｓＰＤＣＣＨをマッピングするためのネットワークノード１４のブロック図である。ネットワークノード１４は、処理回路２２を有する。いくつかの実施形態では、処理回路は、メモリ２４及びプロセッサ２６を備えうる。メモリ２４は、プロセッサ２６によって実行された場合に、本明細書に記載の１つ以上の機能を実行するようプロセッサ２６を設定する命令を含む。従来のプロセッサ及びメモリに加えて、処理回路２２は、処理及び／又は制御を行う集積回路を備えてもよく、例えば、１つ以上のプロセッサ及び／又はプロセッサコア及び／又はＦＰＧＡ（フィールド・プログラマブル・ゲート・アレイ）及び／又はＡＳＩＣ（特定用途向け集積回路）を備えてもよい。
【００８２】
処理回路２２は、メモリ２４を備えているか、メモリ２４に接続されているか、メモリ２４にアクセス（例えば、当該メモリへの書き込み及び／又は当該メモリからの読み出し）を行うように構成されているかの少なくともいずれかでありうる。当該メモリは、任意の種類の揮発性及び／又は不揮発性メモリ、例えば、キャッシュ及び／又はバッファメモリ及び／又はＲＡＭ（ランダムアクセスメモリ）及び／又はＲＯＭ（リードオンリーメモリ）及び／又は光学メモリ及び／又はＥＰＲＯＭ（消去可能プログラマブル・リードオンリーメモリ）、を含みうる。このようなメモリ２４は、制御回路により実行可能なコード、及び／又は他のデータ、例えば、通信に関連するデータ、ノードの設定及び／又はアドレスデータ等、を格納するよう構成されうる。処理回路２２は、本明細書に記載の方法のいずれかを制御する、及び／又はそのような方法を例えばプロセッサ２６に実行させるように構成されうる。対応する命令が、読み出し可能な及び／又は読み出し可能に処理回路２２に接続されたメモリ２４に格納されうる。言い換えれば、処理回路２２は、マイクロプロセッサ及び／又はマイクロコントローラ及び／又はＦＰＧＡ（フィールド・プログラマブル・ゲート・アレイ）デバイス及び／又はＡＳＩＣ（特定用途向け集積回路）デバイスから成りうるコントローラを備えうる。処理回路３２は、メモリを含む又はメモリに接続された若しくは接続可能であってよく、当該メモリは、コントローラ及び／又は処理回路２２による読み出し及び／又は書き込みのためにアクセス可能であるように構成されうると考えられてもよい。
【００８３】
メモリ２４は、ｓＰＤＣＣＨマッピングを格納するように構成される。プロセッサ２６は、ｓＲＥＧ設定ユニット１８を含み、当該ユニットは、物理リソースブロック（ＰＲＢ）内にショートリソースエレメントグループ（ｓＲＥＧ）を設定するよう構成され、ｓＲＥＧの数は、ｓＰＤＣＣＨの直交周波数分割多重（ＯＦＤＭ）シンボルの数に依存し、各ｓＲＥＧは、１ＯＦＤＭシンボルにわたる。ネットワークノード１４は更に、無線デバイス１６へｓＰＤＣＣＨを送信するよう構成された送受信機２８を備える。
【００８４】
図１３は、ネットワークノード１４の代替の実施形態のブロック図であり、当該ネットワークノードは、メモリモジュール２５、ｓＲＥＧ設定モジュール１９、及び送受信機モジュール２９を備える。ｓＲＥＧ設定モジュール１９は、物理リソースブロック（ＰＲＢ）内にショートリソースエレメントグループ（ｓＲＥＧ）を設定するための、プロセッサによって実行されるソフトウェアで実現されうる。送受信機モジュール２９は、無線デバイス１６へｓＰＤＣＣＨを送信するための、プロセッサによって実行されうるソフトウェアによって少なくとも部分的に実現されうる。
【００８５】
図１４は、無線デバイス１６のブロック図である。無線デバイス１６は、処理回路４２を有する。いくつかの実施形態では、処理回路は、メモリ４４及びプロセッサ４６を備えうる。メモリ４４は、プロセッサ４６によって実行された場合に、本明細書に記載の１つ以上の機能を実行するようプロセッサ４６を設定する命令を含む。従来のプロセッサ及びメモリに加えて、処理回路４２は、処理及び／又は制御を行う集積回路を備えてもよく、例えば、１つ以上のプロセッサ及び／又はプロセッサコア及び／又はＦＰＧＡ（フィールド・プログラマブル・ゲート・アレイ）及び／又はＡＳＩＣ（特定用途向け集積回路）を備えてもよい。
【００８６】
処理回路４２は、メモリ４４を備えているか、メモリ４４に接続されているか、メモリ４４にアクセス（例えば、当該メモリへの書き込み及び／又は当該メモリからの読み出し）を行うように構成されているかの少なくともいずれかでありうる。当該メモリは、任意の種類の揮発性及び／又は不揮発性メモリ、例えば、キャッシュ及び／又はバッファメモリ及び／又はＲＡＭ（ランダムアクセスメモリ）及び／又はＲＯＭ（リードオンリーメモリ）及び／又は光学メモリ及び／又はＥＰＲＯＭ（消去可能プログラマブル・リードオンリーメモリ）、を含みうる。このようなメモリ４４は、制御回路により実行可能なコード、及び／又は他のデータ、例えば、通信に関連するデータ、ノードの設定及び／又はアドレスデータ等、を格納するよう構成されうる。処理回路４２は、本明細書に記載の方法のいずれかを制御する、及び／又はそのような方法を例えばプロセッサ４６に実行させるように構成されうる。対応する命令が、読み出し可能な及び／又は読み出し可能に処理回路４２に接続されたメモリ４４に格納されうる。言い換えれば、処理回路４２は、マイクロプロセッサ及び／又はマイクロコントローラ及び／又はＦＰＧＡ（フィールド・プログラマブル・ゲート・アレイ）デバイス及び／又はＡＳＩＣ（特定用途向け集積回路）デバイスから成りうるコントローラを備えうる。処理回路４２は、メモリを含む又はメモリに接続された若しくは接続可能であってよく、当該メモリは、コントローラ及び／又は処理回路４２による読み出し及び／又は書き込みのためにアクセス可能であるように構成されうると考えられてもよい。
【００８７】
メモリ４４は、ｓＰＤＣＣＨマッピングを格納するように構成される。無線デバイス１６は更に送受信機４８を備え、当該送受信機は、ＰＲＢの複数のセットのうちの１つでネットワークノード１４からｓＰＤＣＣＨを受信するよう構成されたｓＰＤＣＣＨ受信機５０を備える。
【００８８】
図１５は、無線デバイス１６の代替の実施形態のブロック図であり、当該無線デバイスは送受信機モジュール４９を備え、当該送受信機モジュールは、プロセッサにより実行可能なソフトウェアによって部分的に実現されうる。
【００８９】
図１６は、時間‐周波数グリッドのリソースエレメントにｓＰＤＣＣＨをマッピングするための典型的な処理のブロック図である。本処理は、ｓＲＥＧとして設定される使用可能な時間‐周波数リソースを決定することを含む（ブロックＳ１００）。本処理は更に、ｓＰＤＣＣＨをリソースエレメントにマッピングするために、ＰＲＢ内のｓＲＥＧを、ｓＲＥＧ設定ユニット１８を介して設定することを含む（ブロックＳ１０２）。いくつかの実施形態では、ｓＲＥＧの数は、ｓＰＤＣＣＨのＯＦＤＭシンボルの数に依存する。また、いくつかの実施形態では、周波数領域におけるｓＲＥＧのサイズは、１２サブキャリアに等しくてもよい１ＰＲＢに等しい。
【００９０】
図１７は、時間‐周波数グリッドのリソースエレメントにｓＰＤＣＣＨをマッピングするための典型的な処理のブロック図である。本処理は、ＰＲＢの複数のセットのうちの１つでネットワークノード１４からｓＰＤＣＣＨを、受信機５０を介して受信することを含む（ブロックＳ１０６）。
【００９１】
いくつかの実施形態では、分散型ケースが図１８において定義及び図示され、同図は、１８ＰＲＢのセットについての１ＯＦＤＭシンボルｓＰＤＣＣＨ分散型方式を示している。これらのケースは、最大４のアグリゲーションレベル（即ち、ｓＰＤＣＣＨごとに最大４ｓＣＣＥ）を含んでいる。より高いアグリゲーションレベルは同様に考えられる。これらのケースは、周波数領域における設定されたＰＲＢセットのＰＲＢに対するｓＲＥＧの規則的な分散をすることを目標としている。いくつかの実施形態は、図１８に示される未使用のＰＲＢが、他の無線デバイス１６用のｓＣＣＥを形成するために更に割り当てられうる特徴を有する。更に、これらの未使用のＰＲＢは、ｓＰＤＳＣＨ割り当てに使用されてもよい。図１８に示されるＰＲＢインデックスは、ｓＰＤＣＣＨＰＲＢセット（本例については、１８ＰＲＢのセット）内のｓＲＥＧグループの番号を表す。簡単化のため、物理ＰＲＢ番号は図示されていない。
【００９２】
アグリゲーションレベル（ＡＬ）１（即ち、１ｓＣＣＥ＝３６ＲＥ）は、図１８に示される２つのケースを含み、異なる網掛けの領域が異なるｓＣＣＥを表している：
【００９３】
ケース１（ＡＬ１）（第１段の一番上に数字１で示されている）：ｓＲＥＧ＝６ＲＥを有する部分ＰＲＢベースのｓＲＥＧ。これにより、ｓＣＣＥは、周波数領域において非常にかつ規則的に分散されたｓＲＥＧで構成され、高い周波数ダイバーシチをもたらす。そのため、６個のＰＲＢが使用される。このケースは更に、ｓＲＥＧグループ０に代えてｓＲＥＧグループ１を使用するためにシグナリング又は計算されるオフセットを含んでもよい。これにより、（最大）２ユーザ間でＰＲＢリソースを共有することで効率的なＰＲＢ利用が可能になる。
【００９４】
ケース２（ＡＬ１）（第２段の一番上に数字２で示されている）：ＰＲＢベースのｓＲＥＧ、即ち、１ｓＲＥＧ＝１２ＲＥ（図１８において、ｓＲＥＧグループ０及び１は一緒に単一のｓＲＥＧとして見える）、又はフルＰＲＢ利用の分散ＰＲＢベースのｓＲＥＧ、即ち、割り当てられたＰＲＢごとにｓＲＥＧグループ０及びｓＲＥＧグループ１を含む。これにより、ｓＣＣＥは、３ＰＲＢベースのｓＲＥＧか、又は周波数領域において即ち３ＰＲＢに対して適度にかつ規則的に分散された６個の部分ＰＲＢベースｓＲＥＧで構成される。このため、周波数ダイバーシチが更にもたらされる。
【００９５】
図１８におけるｓＲＥＧグループ０又はｓＲＥＧグループ１の使用の選択は、上述のように、シグナリング又は計算されうる。また、無線デバイス１６がｓＲＥＧのセットをモニタリングすべきであることが標準化又はシグナリングされてもよく、それにより、サーチスペースが増加するが、設定されたＰＲＢの同一セットを共有する複数の無線デバイス１６へネットワークノード１４がｓＰＤＣＣＨを送信することが可能になる。
【００９６】
アグリゲーションレベル（ＡＬ）２（即ち、２ｓＣＣＥ）及び４（即ち、４ｓＣＣＥ）は、４つのケースを含む。図１８にはこれらのケースが示されており、図１８における異なる網掛けの領域は異なるｓＣＣＥを表している。
【００９７】
●ケース３（ＡＬ２）（第３段の一番上に数字３で示されている）：フルＰＲＢ利用の、即ち、割り当てられた各ＰＲＢからのｓＲＥＧグループ０及びｓＲＥＧグループ１を含む、ケース１の拡張。同様に、このケースは、ＰＲＢベースのｓＲＥＧに基づきうる。これにより、ｓＣＣＥは、６ＰＲＢベースのｓＲＥＧか、又は周波数領域において即ち６ＰＲＢに対して非常にかつ規則的に分散された１２個の部分ＰＲＢベースｓＲＥＧで構成される。いくつかの態様では、このケースは、１つのフルＰＲＢのそれぞれについて６ｓＲＥＧを使用するか、又は１つの部分ＰＲＢのそれぞれについて１２ｓＲＥＧを使用する。このため、ｓＲＥＧサイズのそれぞれの定義に態様が適用可能である。これは、部分ＰＲＢに対してのみ適用可能なケース１とは対照的である。
【００９８】
●ケース４（ＡＬ２）（第４段の一番上に数字４で示されている）：ケース２で使用される各ＰＲＢからの連続するＰＲＢを含む、ケース２の拡張。
【００９９】
●ケース５（ＡＬ４）（第５段の一番上に数字５で示されている）：ケース３で使用されるＰＲＢからの連続するＰＲＢを含む、ケース３の拡張。
【０１００】
●ケース６（ＡＬ４）（第６段の一番上に数字６で示されている）：ケース４で使用される各ＰＲＢからの連続するＰＲＢと、ＰＲＢセット内の最後の３ＰＲＢとを含む、ケース４の拡張。
【０１０１】
上述のように、ケース１及びケース２は、全ての方式のベースである。したがって、一実施形態では、１ＯＦＤＭシンボルｓＰＤＣＣＨについてのケース１及びケース２の分散方式は、以下の式によって実現されうる。Ｎ_(ｓＲＥＧ／ｓＣＣＥ)で構成されるｓＣＣＥのｓＲＥＧ ｍは、次式により与えられる。
2020502844.tif 000005
【０１０２】
ここで、Ｙは、無線デバイス１４からのシグナリングに基づく無線デバイス依存のオフセット、及び／又は時間依存でありうる疑似乱数である（例えば、上記の例では０又は１）。
ＮPRBは、設定されたｓＰＤＣＣＨ ＰＲＢセットにおけるＰＲＢの数である（例えば、上記の例では１８）。
ＮsREG/sCCEは、（各ケースにおいて上述した）ｓＣＣＥごとのｓＲＥＧの数である。
ＮsREG/PRBは、ＰＲＢごとに割り当てられたｓＲＥＧの数である。これは、部分ＰＲＢ ｓＲＥＧについては、ケース１では１に等しく、他のケースでは２に等しいことを意味する。ＰＲＢベースのｓＲＥＧについては、常に１である。
【０１０３】
上記の式は、設定されたＮPRB個のＰＲＢにおける全ての使用可能なＮsREG/PRB＊ＮPRB個のｓＲＥＧにわたってｓＲＥＧを均一に分散することによってｓＣＣＥを形成する各ｓＲＥＧのＰＲＢ番号（ＰＲＢセット内の位置）を示す。あるケースでは、分散についてのより荒い粒度と設定されたＮPRB個のＰＲＢに均一にわたるｓＣＣＥに対するｓＲＥＧの分散とが使用されうる。このケースでは、式は以下のようになる。
2020502844.tif 000006
【０１０４】
なお、上式は、ＰＲＢベースの周波数分散を実現するためにネットワークノード１４が十分な数のＰＲＢを設定することを想定している。同様に、分散型方式は、ＰＲＢの順序又はＰＲＢのグループの順序を提供するネットワークノード１４によって直接与えられうる。
【０１０５】
一実施形態では、局所型ケースが図１９において定義及び図示されており、異なる網掛けの領域は異なるｓＣＣＥを表している。図１０に示されるように、オプション１ａ及び１ｂは、１ＯＦＤＭシンボルｓＰＤＣＣＨに相当する。図１９は、１ＯＦＤＭシンボルのｓＰＤＣＣＨ局所型方式を示している。局所型方式では、同じｓＣＣＥを形成するｓＲＥＧは、限定された周波数帯域内に制限されたｓＰＤＣＣＨリソース割り当てを可能にするために、周波数領域において（即ち、連続するＰＲＢに）局所化されうる。これは、ＰＲＢベースのｓＲＥＧと部分ＰＲＢベースのｓＲＥＧとに当てはまる。図１９に示されるＰＲＢインデックスは、ｓＰＤＣＣＨ ＰＲＢセット（本例については、１８ＰＲＢのセット）内のｓＲＥＧグループの番号を表す。簡単化のため、物理ＰＲＢ番号は図示されていない。
【０１０６】
一例として及び一実施形態において、１ＯＦＤＭシンボルｓＰＤＣＣＨについての局所型方式のケース（即ち、図１９における１Ｌ、２Ｌ及び３Ｌ）は、以下のアルゴリズムによって実現されうる：
【０１０７】
所与のアグリゲーションレベルについて、ＲＥの数（ｎｒ）に到達するために必要とされるｓＲＥＧの数（ｎ＿ｔｏｔ）を決定する
使用するｓＲＥＧのセットを初期化する、Ｓ＝｛｝
開始ｓＲＥＧの周波数に対する周波数インデックスを初期化する、ｋ＝ｋ０
Ｗｈｉｌｅ ｎ＜ｎ＿ｔｏｔ
Ｆｏｒ ｌ＝１ から ｓＰＤＣＣＨに使用可能なＯＦＤＭシンボルのｎｒ まで
ｓＲＥＧをＳに加える（時間領域においてｓＰＤＣＣＨに使用可能なＯＦＤＭシンボルのｎｒに到達するまで）
ｎ＝ｎ＋１
Ｅｎｄ Ｆｏｒ
ｋ＝ｋ＋１（ｓＲＥＧの定義に依存する周波数領域におけるｓＲＥＧに直ちに従うことまで進める）
Ｅｎｄ Ｗｈｉｌｅ
【０１０８】
なお、上記のアルゴリズムは、ｎ＿ｔｏｔが、ｓＰＤＣＣＨに使用可能なＯＦＤＭシンボルの数の倍数であることを想定している。分散型方式及び局所型方式の両方について、２ＯＦＤＭシンボルｓＰＤＣＣＨ設定は上述した１ＯＦＤＭシンボルｓＰＤＣＣＨ設定の拡張である。
【０１０９】
図１０に示されるように、オプション２ａ及び２ｂは、２ＯＦＤＭシンボルｓＰＤＣＣＨに相当する。これに基づいて、及び更なる実施形態として、分散型ケースが図２０において定義及び図示され、同図は、１９ＰＲＢのセットについての２ＯＦＤＭシンボルｓＰＤＣＣＨ分散型方式を示している。これらのケースは、最大８のアグリゲーションレベル（即ち、ｓＰＤＣＣＨごとに最大８ｓＣＣＥ）と周波数領域における規則的な分散とを含んでいる。この実施形態は更に、以下の記載とｓＰＤＳＣＨ割り当てに使用される可能性とに従って、図２０に示される未使用のＰＲＢが、他の無線デバイス１６用のｓＣＣＥを形成するために更に割り当てられうることを想定している。
簡単化のため、物理ＰＲＢ番号は図示されていない。
【０１１０】
アグリゲーションレベル（ＡＬ）１（即ち、１ｓＣＣＥ＝３６ＲＥ）は、図２０に示されるような、部分ＰＲＢ ｓＲＥＧに基づいて形成されうる３つのケースを含む。
【０１１１】
ケース７（ＡＬ１）：部分ＰＲＢベースのｓＲＥＧ、即ち、ｓＲＥＧ＝６ＲＥ。これにより、ｓＣＣＥは、周波数領域において適度に分散された６個のｓＲＥＧで構成される。そのため、２個のＰＲＢが使用される。
【０１１２】
ケース８（ＡＬ１）：部分ＰＲＢベースのｓＲＥＧ。これにより、ｓＣＣＥは、周波数領域において非常にかつ分散された６個のｓＲＥＧで構成される。そのため、ＯＦＤＭシンボル一が変化する一方で、ＰＲＢごとに１つのｓＲＥＧで６個のＰＲＢが使用される。これにより、高い周波数及び時間ダイバーシチが実現される。このケースは更に、ｓＲＥＧグループ０に代えてｓＲＥＧグループ２（又はｓＲＥＧグループ１又は３）を使用して開始するためにシグナリング又は計算されるオフセットを含む。これにより、（最大）４ユーザ間でＰＲＢリソースを共有することで効率的なＰＲＢ利用が可能になる。
【０１１３】
ケース９（ＡＬ１）：部分ＰＲＢベースのｓＲＥＧ。これにより、ｓＣＣＥは、周波数領域において即ち３ＰＲＢに対して適度にかつ規則的に分散された６個の部分ＰＲＢベースｓＲＥＧで構成される。このため、周波数ダイバーシチが更にもたらされる。ｓＲＥＧは、同一のＰＲＢにおける全てのＯＦＤＭシンボルを使用するために時間領域においてペアリングされる。このケースは更に、ｓＲＥＧペア｛０，２｝に代えてｓＲＥＧペア｛１，３｝を使用して開始するためにシグナリング又は計算されるオフセットを含む。これにより、（最大）２ユーザ間でＰＲＢリソースを共有することで効率的なＰＲＢ利用が可能になる。
【０１１４】
図２０に示されるように、異なる網掛けの各領域は異なるｓＣＣＥを表す：
【０１１５】
●ケース１０（ＡＬ２）：時間領域で隣接する部分ＰＲＢベースのｓＲＥＧ、即ち、ＰＲＢごとの時間領域のｓＲＥＧペア、を含むことによる、ケース８の拡張。あるいは、このケースは、６ＰＲＢにわたるｓＲＥＧペアの規則的な分散を行うことによる、ケース９の拡張として形成されてもよい。これにより、ｓＣＣＥは、周波数領域において非常にかつ規則的に分散されたｓＲＥＧで構成され、高い周波数ダイバーシチをもたらす。このケースは更に、ｓＲＥＧペア｛０，２｝に代えてｓＲＥＧペア｛１，３｝を使用して開始するためにシグナリング又は計算されるオフセットを含む。これにより、（最大）２ユーザ間でＰＲＢリソースを共有することで効率的なＰＲＢ利用が可能になる。
【０１１６】
●ケース１１（ＡＬ２）：フルＰＲＢ利用の、即ち、割り当てられた各ＰＲＢからのｓＲＥＧペア｛０，２｝及び｛１，３｝を含む、ケース９の拡張。同様に、このケースは、ＰＲＢベースのｓＲＥＧに基づきうる。これにより、ｓＣＣＥは、３ＰＲＢベースのｓＲＥＧか、又は周波数領域において即ち３ＰＲＢに対して適度にかつ規則的に分散された12個の部分ＰＲＢベースｓＲＥＧで構成される。いくつかの態様では、６フルＰＲＢ又は１２ハーフＰＲＢの両方により、同一又は対応する結果がもたらされる。
【０１１７】
●ケース１２（ＡＬ４）：ケース１１で使用される各ＰＲＢからの連続するＰＲＢを含む、ケース１１の拡張。
【０１１８】
●ケース１３（ＡＬ４）：割り当てられた各ＰＲＢからのフルＰＲＢ利用の、ケース１０の拡張。同様に、当該ケースはＰＲＢベースのｓＲＥＧに基づきうる。これにより、ｓＣＣＥは、１２ＰＲＢベースのｓＲＥＧか、又は周波数領域において即ち６ＰＲＢに対して非常にかつ規則的に分散された２４個の部分ＰＲＢベースｓＲＥＧで構成される。
【０１１９】
●ケース１４（ＡＬ８）：ケース１３で使用される各ＰＲＢからの連続するＰＲＢを含む、ケース１３の拡張。
【０１２０】
●ケース１５（ＡＬ８）：ケース１２で使用される各ＰＲＢからの連続するＰＲＢと、ＰＲＢセット内の最後の３ＰＲＢとを含む、ケース１２の拡張。
【０１２１】
一実施形態では、図１０の局所型ケースであるオプション２ａ及び２ｂは、図２１に定義及び図示されており、同図は、２ＯＦＤＭシンボルｓＰＤＣＣＨ局所型方式を示している。局所型方式では、同じｓＣＣＥを形成するｓＲＥＧは、限定された周波数帯域内に制限されたｓＰＤＣＣＨリソース割り当てを可能にするために、周波数領域において（即ち、連続するＰＲＢに）局所化されうる。これは、ＰＲＢベースのｓＲＥＧと部分ＰＲＢベースのｓＲＥＧとに当てはまる。図２１に示されるＰＲＢインデックスは、ｓＰＤＣＣＨ ＰＲＢセット（本例については、１８ＰＲＢのセット）内のｓＲＥＧグループの番号を表す。簡単化のため、物理ＰＲＢ番号は図示されていない。
【０１２２】
更なる実施形態として、ｓＣＣＥは、３６個のＲＥに代えて、理想的には４８個のＲＥで構成されるよう定義されうる。したがって、２ＯＦＤＭシンボルｓＰＤＣＣＨでは、ｓＣＣＥは、２ＰＲＢベースｓＲＥＧ、即ち、１ｓＲＥＧ＝１ＰＲＢ＝４８ＲＥ、で構成されるか、又は、８部分ＰＲＢベースｓＲＥＧ、即ち、１ｓＲＥＧ＝６Ｅ（ＰＲＢごとに４ｓＲＥＧ）、で構成される。このため、同一ユーザに対してフルＰＲＢが使用される。さらに、３ｓＣＣＥのアグリゲーションレベルが更に考えられうる。図２２にはこれらのケースが図示され、同図は、１８ＰＲＢのセットについての追加の２ＯＦＤＭシンボルｓＰＤＣＣＨ分散型方式を示している。
【０１２３】
これらのケースは、周波数領域における規則的な分散を含む。一実施形態は更に、以下の記載とｓＰＤＳＣＨ割り当てに使用される可能性とともに、図２２に示される未使用のＰＲＢが、他の無線デバイス１６用のｓＣＣＥを形成するために更に割り当てられうることを提供する。図２２に示されるＰＲＢインデックスは、ｓＰＤＣＣＨ ＰＲＢセット（本例については、１８ＰＲＢのセット）内の番号を表す。簡単化のため、物理ＰＲＢ番号は図示されていない。
【０１２４】
いくつかのケースでは、１サブフレームを、それぞれ長さ２シンボルのショートＴＴＩに分割することはできない。このため、サブフレームは、ＴＴＩの１つ以上が実際に長さ３となるように選択されうる。一実施形態では、第３のシンボルは、インデックス４及び５のｓＲＥＧを有し、図１０のケース２ｂを拡張する。他の実施形態では、同じ数のｓＲＥＧが使用され、第３のシンボルは、インデックス２又は３のｓＲＥＧを有し、図１０のケース２ｂにおける第２のシンボルと一致し、その結果、インデックス２及び３のｓＲＥＧは、２倍の数のＲＥで構成される。
【０１２５】
つまり、リソースエレメント（ＲＥ）へのｓＰＤＣＣＨ用のフレキシブルなマッピングが提案される。当該マッピングは、種々のモードを有し、各モードは、チャネルの又は改良型の送信モードの活用を可能にする。１つのモードでは、大きい周波数ダイバーシチが得られる。他のモードでは、ビームフォーミング・ベースの送信モードのために凝縮した周波数割り当てが可能になる。提案マッピングは、種々の数のＯＦＤＭシンボルに対して拡張できる。提案マッピングでは、異なる参照信号に依存する送信モードを有するユーザ（例えば、ＣＲＳユーザ及びＤＭＲＳユーザ）が、同一のｓＴＴＩ上に共存できる。
【０１２６】
このため、一態様によれば、ショート物理下りリンク制御チャネル（ｓＰＤＣＣＨ）を時間‐周波数グリッドのリソースエレメントにマッピングするための方法が提供される。本方法は、ショートリソースエレメントグループ（ｓＲＥＧ）として設定される使用可能な時間‐周波数リソースを決定することを含む（Ｓ１００）。本方法は更に、ｓＰＤＣＣＨをリソースエレメントにマッピングするために、物理リソースブロック（ＰＲＢ）内にｓＲＥＧを設定することを含み、各ｓＲＥＧは１ＯＦＤＭシンボルにわたる（Ｓ１０２）。任意の態様において、１ＯＦＤＭシンボルにわたることは、時間領域を指し、例えば、ｓＲＥＧは、１シンボルのみの時間長である。任意の態様において、ｓＲＥＧがＰＲＢ内のものであることは、周波数領域におけるｓＲＥＧを指してもよく、例えば、１ＰＲＢの周波数範囲又はサブキャリア数を有する。
【０１２７】
この態様によれば、いくつかの実施形態において、ｓＲＥＧは、セル固有参照信号（ＣＲＳ）、及び復調参照信号（ＤＭＲＳ）ベースｓＰＤＣＣＨに適用されるＤＭＲＳの少なくとも１つのためのＲＥを含む１ＯＦＤＭシンボル内の１ＰＲＢで構成される。いくつかの実施形態において、ｓＲＥＧは、ＣＲＳ、及びＣＲＳベースｓＰＤＣＣＨに適用されるＤＭＲＳの少なくとも１つのためのＲＥを含む１ＯＦＤＭシンボル内の１ＰＲＢで構成される。いくつかの実施形態において、ｓＲＥＧは、（ビームフォーミングを容易にするために）周波数領域において局所化されるように設定されるか、（周波数ダイバーシチ利得を得るために）周波数領域において分散されるように設定されるかのうちの一方である。いくつかの実施形態において、本方法は更に、ｓＲＥＧへのショート制御チャネルエレメント（ｓＣＣＥ）の分散型又は局所型マッピングのうちの１つでＣＲＳベースのｓＰＤＣＣＨリソースブロックセットを使用するよう、無線リソース制御（ＲＲＣ）シグナリングによって無線デバイス１６を設定することを含む。いくつかの実施形態において、本方法は更に、ｓＲＥＧへのｓＣＣＥの分散型又は局所型マッピングのうちの１つでＤＭＲＳベースのｓＰＤＣＣＨリソースブロックセットを使用するよう、ＲＲＣシグナリングによって無線デバイス１６を設定することを含む。いくつかの実施形態において、本方法は更に、少なくともＰＲＢのセットとｓＲＥＧへの局所型及び分散型ｓＣＣＥのマッピングとでｓＰＤＣＣＨ ＰＲＢセットを設定することを含む。いくつかの実施形態において、１ＯＦＤＭシンボルｓＰＤＣＣＨがＣＲＳベース送信用に定義される。いくつかの実施形態において、ＣＲＳベースｓＰＤＣＣＨについて、２又は３ｓＰＤＣＣＨシンボルのショート送信時間間隔（ｓＴＴＩ）では、ＲＢセットごとのＯＦＤＭシンボルの数は１及び２のうちの１つである。いくつかの実施形態において、ＣＲＳベースｓＰＤＣＣＨについて、１スロットｓＴＴＩでは、ＲＢセットごとのＯＦＤＭシンボルの数は１及び２のうちの１つである。いくつかの実施形態において、２ＯＦＤＭシンボルｓＰＤＣＣＨがＤＭＲＳベース送信用に定義される。いくつかの実施形態において、ＣＲＳベースｓＰＤＣＣＨについて、２ｓＰＤＣＣＨシンボルｓＴＴＩでは、ＲＢセットごとのＯＦＤＭシンボルの数は２である。いくつかの実施形態において、ＤＭＲＳベースｓＰＤＣＣＨについて、３シンボルｓＴＴＩでは、ＲＢセットごとのＯＦＤＭシンボルの数は３である。いくつかの実施形態において、ＤＭＲＳベースｓＰＤＣＣＨについて、１スロットｓＴＴＩでは、ＲＢセットごとのＯＦＤＭシンボルの数は２である。
【０１２８】
他の態様によれば、ショート物理下りリンク制御チャネル（ｓＰＤＣＣＨ）を時間‐周波数グリッドのリソースエレメントにマッピングするためのネットワークノード１４が提供される。ネットワークノード１４は、ショートリソースエレメントグループ（ｓＲＥＧ）として設定される使用可能な時間‐周波数リソースを決定するよう構成された処理回路２２を備える。処理回路２２は更に、ｓＰＤＣＣＨをリソースエレメントにマッピングするために、物理リソースブロック（ＰＲＢ）内にｓＲＥＧを設定するよう構成され、各ｓＲＥＧは１ＯＦＤＭシンボルにわたる。
【０１２９】
いくつかの実施形態において、ｓＲＥＧは、ＣＲＳとＣＲＳベースｓＰＤＣＣＨに適用されるＤＭＲＳとの少なくとも１つのためのＲＥを含む１ＯＦＤＭシンボル内の１ＰＲＢで構成される。いくつかの実施形態において、ｓＲＥＧは、ＣＲＳとＣＲＳベースｓＰＤＣＣＨに適用されるＤＭＲＳとの少なくとも１つのためのＲＥを含む１ＯＦＤＭシンボル内の１ＰＲＢで構成される。いくつかの実施形態において、ｓＲＥＧは、周波数領域において局所化されるように設定されるか、周波数領域において分散されるように設定されるかのうちの一方である。いくつかの実施形態において、処理回路２２は更に、ｓＲＥＧへのショート制御チャネルエレメント（ｓＣＣＥ）の分散型又は局所型マッピングのうちの１つでＣＲＳベースのｓＰＤＣＣＨリソースブロックセットを使用するよう、ＲＲＣシグナリングによって無線デバイス１６を設定するよう構成される。いくつかの実施形態において、処理回路２２は更に、ｓＲＥＧへのｓＣＣＥの分散型又は局所型マッピングのうちの１つでＤＭＲＳベースのｓＰＤＣＣＨリソースブロックセットを使用するよう、ＲＲＣシグナリングによって無線デバイス１６を設定するよう構成される。いくつかの態様において、分散型／局所型マッピングは、ｓＣＣＥへの複数のｓＲＥＧ（それぞれが周波数で１ＰＲＢのものである）のマッピングである。いくつかの実施形態において、処理回路２２は更に、少なくともＰＲＢのセットとｓＲＥＧへの局所型及び分散型ｓＣＣＥのマッピングとでｓＰＤＣＣＨ ＰＲＢセットを設定するよう構成される。いくつかの実施形態において、１ＯＦＤＭシンボルｓＰＤＣＣＨがＣＲＳベース送信用に定義される。いくつかの実施形態において、ＣＲＳベースｓＰＤＣＣＨについて、２又は３ｓＰＤＣＣＨシンボルのｓＴＴＩでは、ＲＢセットごとのＯＦＤＭシンボルの数は１及び２のうちの１つである。いくつかの実施形態において、ＣＲＳベースｓＰＤＣＣＨについて、１スロットｓＴＴＩでは、ＲＢセットごとのＯＦＤＭシンボルの数は１及び２のうちの１つである。いくつかの実施形態において、２ＯＦＤＭシンボルｓＰＤＣＣＨがＤＭＲＳベース送信用に定義される。いくつかの実施形態において、ＣＲＳベースｓＰＤＣＣＨについて、２ｓＰＤＣＣＨシンボルｓＴＴＩでは、ＲＢセットごとのＯＦＤＭシンボルの数は２である。いくつかの実施形態において、ＤＭＲＳベースｓＰＤＣＣＨについて、３シンボルｓＴＴＩでは、ＲＢセットごとのＯＦＤＭシンボルの数は３である。いくつかの実施形態において、ＤＭＲＳベースｓＰＤＣＣＨについて、１スロットｓＴＴＩでは、ＲＢセットごとのＯＦＤＭシンボルの数は２である。
【０１３０】
他の態様によれば、高い周波数ダイバーシチ及び凝縮した周波数割り当てのうちの１つを実現するために、ショート物理下りリンク制御チャネル（ｓＰＤＣＣＨ）を時間‐周波数グリッドのリソースエレメントにマッピングするためのネットワークノード１４が提供される。ネットワークノード１４は、時間‐周波数グリッドのリソースエレメントへのｓＰＤＣＣＨのマッピングを格納するよう構成されたメモリモジュール４５を備える。ネットワークノード１４は更に、ｓＰＤＣＣＨをリソースエレメントにマッピングするために、物理リソースブロック（ＰＲＢ）内にｓＲＥＧを設定するよう構成された、ショートリソースエレメントグループ（ｓＲＥＧ）設定モジュール１９を備え、各ｓＲＥＧは１ＯＦＤＭシンボルにわたる。
【０１３１】
更に他の態様によれば、ネットワークノード１４によってシグナリングされるショート物理下りリンク制御チャネル（ｓＰＤＣＣＨ）で情報を受信するための、無線デバイス１６における方法が提供され、ｓＰＤＣＣＨは、ショートリソースエレメントグループ（ｓＲＥＧ）を設定することによって時間‐周波数グリッドのリソースエレメントにマッピングされる。本方法は、ＰＲＢの複数のセットのうちの１つでネットワークノード１４からｓＰＤＣＣＨを受信することを含む（Ｓ１０６）
【０１３２】
この態様によれば、いくつかの実施形態において、ｓＰＤＣＣＨは２ＯＦＤＭシンボルから成る。いくつかの実施形態において、本方法は更に、ＰＲＢのシーケンシャル順序のインジケーションを、ネットワークノード１４から受信することを含む。
【０１３３】
他の態様によれば、ネットワークノード１４によってシグナリングされるショート物理下りリンク制御チャネル（ｓＰＤＣＣＨ）で情報を受信するための無線デバイス１６が提供され、ｓＰＤＣＣＨは、ショートリソースエレメントグループ（ｓＲＥＧ）を設定することによって時間‐周波数グリッドのリソースエレメントにマッピングされる。無線デバイス１６は送受信機４８を備え、当該送受信機は、ＰＲＢの複数のセットのうちの１つでネットワークノード１４からｓＰＤＣＣＨを受信するよう構成される。
【０１３４】
この態様によれば、いくつかの実施形態において、ｓＰＤＣＣＨは２ＯＦＤＭシンボルから成る。いくつかの実施形態において、送受信機４８は更に、ＰＲＢのシーケンシャル順序のインジケーションを、ネットワークノード１４から受信するように構成される。
【０１３５】
更に他の態様によれば、ネットワークノード１４によってシグナリングされるショート物理下りリンク制御チャネル（ｓＰＤＣＣＨ）で情報を受信するための無線デバイス１６が提供され、ｓＰＤＣＣＨは、ショートリソースエレメントグループ（ｓＲＥＧ）を設定することによって時間‐周波数グリッドのリソースエレメントにマッピングされる。無線デバイス１６は送受信機モジュール４９を備え、当該送受信機モジュールは、ＰＲＢの複数のセットのうちの１つでネットワークノード１４からｓＰＤＣＣＨを受信するよう構成される。
【０１３６】
いくつかの実施形態は以下のものを含む：
【０１３７】
実施形態１．高い周波数ダイバーシチ及び凝縮した周波数割り当てのうちの１つを実現するために、ショート物理下りリンク制御チャネル（ｓＰＤＣＣＨ）を時間‐周波数グリッドのリソースエレメントにマッピングするための、ネットワークノードにおける方法であって、当該方法は、
ショートリソースエレメントグループ（ｓＲＥＧ）として設定される使用可能な時間‐周波数リソースを決定することと、
ｓＰＤＤＣＨをリソースエレメントにマッピングするためにｓＲＥＧを物理リソースブロック（ＰＲＢ）内に設定することと、を含み、ｓＲＥＧの数は、ｓＰＤＣＣＨの直交周波数分割多重（ＯＦＤＭ）シンボルの数に依存し、各ｓＲＥＧは、１ＯＦＤＭシンボルにわたる、方法。
【０１３８】
実施形態２．実施形態１の方法であって、ｓＲＥＧは、周波数領域において局所化されるように設定されるか、周波数領域において分散されるように設定されるかのうちの一方である、方法。
【０１３９】
実施形態３．実施形態１の方法であって、１ＯＦＤＭシンボルｓＰＤＣＣＨが、セル固有参照シンボル（ＣＲＳ）ベースの送信用に定義され、少なくとも２つのＯＦＤＭシンボルｓＰＤＣＣＨが、ショート送信時間インターバル（ｓＴＴＩ）動作用に定義される、方法。
【０１４０】
実施形態４．実施形態１の方法であって、２ＯＦＤＭシンボルｓＰＤＣＣＨが、復調参照シンボル（ＤＭＲＳ）ベースの送信用に定義される、方法。
【０１４１】
実施形態５．高い周波数ダイバーシチ及び凝縮した周波数割り当てのうちの１つを実現するために、ショート物理下りリンク制御チャネル（ｓＰＤＣＣＨ）を時間‐周波数グリッドのリソースエレメントにマッピングするためのネットワークノードであって、当該ネットワークノードは、
メモリ及びプロセッサを含む処理回路を備え、
メモリは、時間‐周波数グリッドのリソースエレメントへのｓＰＤＣＣＨのマッピングを格納するよう構成され、
プロセッサは、ｓＰＤＤＣＨをリソースエレメントにマッピングするためにショートリソースエレメントグループ（ｓＲＥＧ）を物理リソースブロック（ＰＲＢ）内に設定するよう構成され、ｓＲＥＧの数は、ｓＰＤＣＣＨの直交周波数分割多重（ＯＦＤＭ）シンボルの数に依存し、各ｓＲＥＧは、１ＯＦＤＭシンボルにわたる、ネットワークノード。
【０１４２】
実施形態６．実施形態５のネットワークノードであって、ｓＲＥＧは、周波数領域において局所化されるように設定されるか、周波数領域において分散されるように設定されるかのうちの一方である、ネットワークノード。
【０１４３】
実施形態７．実施形態５のネットワークノードであって、１ＯＦＤＭシンボルｓＰＤＣＣＨが、セル固有参照シンボル（ＣＲＳ）ベースの送信用に定義され、少なくとも２つのＯＦＤＭシンボルｓＰＤＣＣＨが、ショート送信時間インターバル（ｓＴＴＩ）動作用に定義される、ネットワークノード。
【０１４４】
実施形態８．実施形態５のネットワークノードであって、２ＯＦＤＭシンボルｓＰＤＣＣＨが、復調参照シンボル（ＤＭＲＳ）ベースの送信用に定義される、ネットワークノード。
【０１４５】
実施形態９．高い周波数ダイバーシチ及び凝縮した周波数割り当てのうちの１つを実現するために、ショート物理下りリンク制御チャネル（ｓＰＤＣＣＨ）を時間‐周波数グリッドのリソースエレメントにマッピングするためのネットワークノードであって、当該ネットワークノードは、
時間‐周波数グリッドのリソースエレメントへのｓＰＤＣＣＨのマッピングを格納するよう構成されたメモリモジュールと、
ｓＰＤＤＣＨをリソースエレメントにマッピングするためにショートリソースエレメントグループ（ｓＲＥＧ）を物理リソースブロック（ＰＲＢ）内に設定するよう構成されたショートリソースエレメントグループ（ｓＲＥＧ）設定モジュールと、を備え、ｓＲＥＧの数は、ｓＰＤＣＣＨの直交周波数分割多重（ＯＦＤＭ）シンボルの数に依存し、各ｓＲＥＧは、１ＯＦＤＭシンボルにわたる、ネットワークノード。
【０１４６】
実施形態１０．ネットワークノードによってシグナリングされるショート物理下りリンク制御チャネル（ｓＰＤＣＣＨ）を取得するための、無線デバイスにおける方法であって、ｓＰＤＣＣＨは、ショートリソースエレメントグループ（ｓＲＥＧ）を設定することによって時間‐周波数グリッドのリソースエレメントにマッピングされ、当該方法は、
ネットワークノードから、ｓＰＤＣＣＨを含むシグナリングを受信することと、
ｓＰＤＣＣＨを取得するためにシグナリングを復号することと、を含む方法。
【０１４７】
実施形態１１．ネットワークノードによってシグナリングされるショート物理下りリンク制御チャネル（ｓＰＤＣＣＨ）を取得するための無線デバイスであって、ｓＰＤＣＣＨは、ショートリソースエレメントグループ（ｓＲＥＧ）を設定することによって時間‐周波数グリッドのリソースエレメントにマッピングされ、当該無線デバイスは、
ネットワークノードから、ｓＰＤＣＣＨを含むシグナリングを受信するよう構成された送受信機と、
メモリ及びプロセッサを含む処理回路と、を備え、
メモリは、ｓＰＤＣＣＨを格納するように構成され、
プロセッサは、ｓＰＤＣＣＨを取得するためにシグナリングを復号するように構成される、無線デバイス。
【０１４８】
実施形態１２．ネットワークノードによってシグナリングされるショート物理下りリンク制御チャネル（ｓＰＤＣＣＨ）を取得するための無線デバイスであって、ｓＰＤＣＣＨは、ショートリソースエレメントグループ（ｓＲＥＧ）を設定することによって時間‐周波数グリッドのリソースエレメントにマッピングされ、当該無線デバイスは、
ネットワークノードからシグナリングを受信するよう構成された送受信機モジュールと、
ｓＰＤＣＣＨを格納するよう構成されたメモリモジュールと、
ｓＰＤＣＣＨを取得するためにシグナリングを復号するよう構成された復号器と、を備える無線デバイス。
【０１４９】
当業者によって理解されるように、本明細書に記載の概念は、方法、データ処理システム、及び／又はコンピュータプログラム製品として実施されうる。したがって、本明細書に記載の概念は、全体的にハードウェアの実施形態、全体的にソフトウェアの実施形態、又は本明細書では全体として全て「回路」又は「モジュール」と称される、ソフトウェア態様及びハードウェア態様を組み合わせた実施形態の形式をとりうる。更に、本開示は、コンピュータにより実行可能な、媒体内で具体化されるコンピュータプログラムコードを有する、有形のコンピュータ使用可能記憶媒体上のコンピュータプログラム製品の形式をとりうる。ハードディスク、ＣＤ−ＲＯＭ、電子ストレージデバイス、光学ストレージデバイス、又は磁気ストレージデバイスを含む、任意の適切な有形のコンピュータ読取可能媒体が利用されてもよい。
【０１５０】
いくつかの実施形態は、方法、システム及びコンピュータプログラム製品についてのフローチャート図及び／又はブロック図を参照して本明細書において記載されている。フローチャート図及び／又はブロック図の各ブロック、フローチャート図及び／又はブロック図のブロックの組み合わせが、コンピュータプログラム命令によって実装可能であることが理解される。これらのコンピュータプログラム命令は、（それにより専用コンピュータを提供するために）汎用コンピュータ、専用コンピュータ、又はマシンを生成するための他のプログラマブル・データ処理装置のプロセッサに提供されてもよく、それにより、当該命令は、コンピュータ又は他のプログラマブル・データ処理装置のプロセッサを介して実行されて、フローチャート及び／又はブロック図のブロック又は複数のブロックにおいて特定された機能／動作を実行する手段を作り出す。
【０１５１】
これらのコンピュータプログラム命令は、更に、コンピュータ又は他のプログラマブル・データ処理装置を特定の方法で機能させることが可能な、コンピュータ読取可能メモリ又は記憶媒体に格納されてもよく、それにより、コンピュータ読取可能媒体に格納された命令が、フローチャート及び／又はブロック図のブロック又は複数ブロックにおいて特定された機能／動作を実行する命令手段を含む製品を生み出す。
【０１５２】
コンピュータプログラム命令は、コンピュータ実装プロセスを生み出すように一連の動作ステップをコンピュータ又は他のプログラマブル装置上で実行させるためにコンピュータ又は他のプログラマブル・データ処理装置にロードされてもよく、それにより、コンピュータ又は他のプログラマブル装置上で実行される命令は、フローチャート及び／又はブロック図のブロック又は複数ブロックにおいて特定された機能／動作を実行するためのステップを提供する。
【０１５３】
複数のブロックに示された機能／動作が、動作図に示された順序ではない順序で生じてもよいことが理解されるべきである。例えば、連続した２つのブロックは、関連する機能／動作に依存して、実際に実質的に同時に実行されてもよいし、又は当該ブロックは時には逆順で実行されてもよい。いくつかの図は、主な通信方向を示すための通信パス上の矢印を含むが、通信は、図示された矢印とは逆方向に生じてもよいことが理解されるべきである。
【０１５４】
本明細書に記載の概念の動作を実行するためのコンピュータプログラムコードは、Ｊａｖａ（登録商標）又はＣ＋＋のようなオブジェクト指向プログラミング言語で記述されてもよい。しかし、開示の動作を実行するためのコンピュータプログラムコードは、「Ｃ」プログラミング言語のような従来の手続き型プログラミング言語で記述されてもよい。プログラムコードは、スタンドアロン型ソフトウェアパッケージとして、ユーザのコンピュータで全体が動作してもよいし、ユーザのコンピュータで一部が動作してもよいし、一部がユーザのコンピュータで動作して一部がリモートコンピュータで動作してもよいし、リモートコンピュータで全体が動作してもよい。後者のシナリオでは、リモートコンピュータは、ローカルエリアネットワーク（ＬＡＮ）若しくはワイドエリアネットワーク（ＷＡＮ）を通じてユーザのコンピュータと接続されてもよいし、（例えば、インターネットサービスプロバイダを使用してインターネットを通じて）外部コンピュータへの接続が行われてもよい。
【０１５５】
上述の記載及び図面に関連して多くの異なる実施形態が本明細書に開示されている。これらの実施形態のあらゆる組み合わせ及びサブコンビネーションをそのまま記載及び図示することは過度の繰り返し及び分かりにくいものとなりうることが理解される。したがって、全ての実施形態は、任意の方法及び／又は組み合わせで組み合わせることができ、図面を含め、本明細書は、本明細書に記載の実施形態の全ての組み合わせ及びサブコンビネーションについての、及びそれらを構成及び使用する方法及びプロセスについての完全な明細書を構成するものと解釈されるべきであり、かつ、任意のそのような組み合わせ又はサブコンビネーションに対する請求項をサポートするものである。
【０１５６】
本明細書に記載の実施形態は、本明細書において上記で具体的に示されている及び記載されているものに限定されないことが当業者によって理解されることになる。加えて、それとは反対の言及が行われなかった限り、添付図面の全てはノンスケールであることに留意すべきである。以下の請求項の範囲から逸脱することなく上記の教示に照らして種々の変更及び変形が可能である。
【図１】
2020502844.tif 000007
【図２】
2020502844.tif 000008
【図３】
2020502844.tif 000009
【図４】
2020502844.tif 000010
【図５】
2020502844.tif 000011
【図６】
2020502844.tif 000012
【図７】
2020502844.tif 000013
【図８】
2020502844.tif 000014
【図９】
2020502844.tif 000015
【図１０】
2020502844.tif 000016
【図１１】
2020502844.tif 000017
【図１２】
2020502844.tif 000018
【図１３】
2020502844.tif 000019
【図１４】
2020502844.tif 000020
【図１５】
2020502844.tif 000021
【図１６】
2020502844.tif 000022
【図１７】
2020502844.tif 000023
【図１８】
2020502844.tif 000024
【図１９】
2020502844.tif 000025
【図２０】
2020502844.tif 000026
【図２１】
2020502844.tif 000027
【図２２】
2020502844.tif 000028
【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
ネットワークノードによってシグナリングされる物理下りリンク制御チャネル（ＰＤＣＣＨ）で情報を受信するための、無線デバイス（１６）における方法であって、前記ＰＤＣＣＨは、リソースエレメントグループ（ＲＥＧ）を設定することによって時間‐周波数グリッドのリソースエレメントにマッピングされ、各ＲＥＧが、１つの直交周波数分割多重（ＯＦＤＭ）シンボルにわたり、前記ＰＤＣＣＨは、２つ以上のＯＦＤＭシンボルから成り、前記方法は、
物理リソースブロック（ＰＲＢ）の複数のセットのうちの１つで、前記ネットワークノードから前記ＰＤＣＣＨを受信すること（Ｓ１０６）を含む、方法。
【請求項２】
請求項１に記載の方法であって、前記ＲＥＧは、周波数領域において局所化されるように設定されるか、前記周波数領域において分散されるように設定されるかのうちの一方であり、
前記周波数領域において分散されるように設定されたＲＥＧについて、当該ＲＥＧは、ＲＥＧのグループ内で分散され、ＲＥＧの各グループは、連続するＰＲＢにマッピングされる、方法。
【請求項３】
請求項１又は２に記載の方法であって、ＲＥＧは、復調参照信号（ＤＭＲＳ）ベースのＰＤＣＣＨに適用されるＤＭＲＳのためのリソースエレメント（ＲＥ）を含む１ＯＦＤＭシンボル内の１ＰＲＢで構成される、方法。
【請求項４】
請求項１から３のいずれか１項に記載の方法であって、ＲＥＧへの制御チャネルエレメント（ＣＣＥ）の分散型又は局所型マッピングのうちの１つで復調参照信号（ＤＭＲＳ）ベースのＰＤＣＣＨリソースブロックセットを使用するよう、無線リソース制御（ＲＲＣ）シグナリングによって前記無線デバイス（１６）を設定することを更に含む、方法。
【請求項５】
ネットワークノードによってシグナリングされる物理下りリンク制御チャネル（ＰＤＣＣＨ）で情報を受信するための無線デバイス（１６）であって、前記ＰＤＣＣＨは、リソースエレメントグループ（ＲＥＧ）を設定することによって時間‐周波数グリッドのリソースエレメントにマッピングされ、各ＲＥＧが、１つの直交周波数分割多重（ＯＦＤＭ）シンボルにわたり、前記ＰＤＣＣＨは、２つ以上のＯＦＤＭシンボルから成り、
前記無線デバイスは、
物理リソースブロック（ＰＲＢ）の複数のセットのうちの１つで、前記ネットワークノード（１４）から前記ＰＤＣＣＨを受信するよう構成された送受信機（４９）を備える、無線デバイス。
【請求項６】
請求項５に記載の無線デバイスであって、前記ＲＥＧは、周波数領域において局所化されるように設定されるか、前記周波数領域において分散されるように設定されるかのうちの一方であり、
前記周波数領域において分散されるように設定されたＲＥＧについて、当該ＲＥＧは、ＲＥＧのグループ内で分散され、ＲＥＧの各グループは、連続するＰＲＢにマッピングされる、無線デバイス。
【請求項７】
請求項５又は６に記載の無線デバイスであって、ＲＥＧは、復調参照信号（ＤＭＲＳ）ベースのＰＤＣＣＨに適用されるＤＭＲＳのためのリソースエレメント（ＲＥ）を含む１ＯＦＤＭシンボル内の１ＰＲＢで構成される、無線デバイス。
【請求項８】
物理下りリンク制御チャネル（ＰＤＣＣＨ）を時間‐周波数グリッドのリソースエレメントにマッピングするための、ネットワークノード（１４）における方法であって、前記方法は、
リソースエレメントグループ（ＲＥＧ）として設定される、使用可能な時間‐周波数リソースを決定すること（Ｓ１００）と、
前記ＰＤＣＣＨを前記リソースエレメントにマッピングするために、物理リソースブロック（ＰＲＢ）内にＲＥＧを設定することであって、各ＲＥＧが１つの直交周波数分割多重（ＯＦＤＭ）シンボルにわたる、設定すること（Ｓ１０２）と、を含む方法。
【請求項９】
請求項８に記載の方法であって、前記ＲＥＧは、周波数領域において局所化されるように設定されるか、前記周波数領域において分散されるように設定されるかのうちの一方であり、
前記周波数領域において分散されるように設定されたＲＥＧについて、当該ＲＥＧは、ＲＥＧのグループ内で分散され、ＲＥＧの各グループは、連続するＰＲＢにマッピングされる、方法。
【請求項１０】
請求項８又は９に記載の方法であって、ＲＥＧは、復調参照信号（ＤＭＲＳ）ベースのＰＤＣＣＨに適用されるＤＭＲＳのためのリソースエレメント（ＲＥ）を含む１ＯＦＤＭシンボル内の１ＰＲＢで構成される、方法。
【請求項１１】
請求項８から１０のいずれか１項に記載の方法であって、ＲＥＧへの制御チャネルエレメント（ＣＣＥ）の分散型又は局所型マッピングのうちの１つで復調参照信号（ＤＭＲＳ）ベースのＰＤＣＣＨリソースブロックセットを使用するよう、無線リソース制御（ＲＲＣ）シグナリングによって無線デバイス（１６）を設定することを更に含む、方法。
【請求項１２】
物理下りリンク制御チャネル（ＰＤＣＣＨ）を時間‐周波数グリッドのリソースエレメントにマッピングするためのネットワークノード（１４）であって、前記ネットワークノードは、
処理回路（２２）を備え、当該処理回路は、
リソースエレメントグループ（ＲＥＧ）として設定される、使用可能な時間‐周波数リソースを決定し、
前記ＰＤＣＣＨを前記リソースエレメントにマッピングするために、物理リソースブロック（ＰＲＢ）内にＲＥＧを設定するよう構成され、各ＲＥＧが１つの直交周波数分割多重（ＯＦＤＭ）シンボルにわたり、前記ＰＤＣＣＨは、２つ以上のＯＦＤＭシンボルから成る、ネットワークノード。
【請求項１３】
請求項１２に記載のネットワークノード（１４）であって、前記ＲＥＧは、周波数領域において局所化されるように設定されるか、前記周波数領域において分散されるように設定されるかのうちの一方であり、
前記周波数領域において分散されるように設定されたＲＥＧについて、当該ＲＥＧは、ＲＥＧのグループ内で分散され、ＲＥＧの各グループは、連続するＰＲＢにマッピングされる、ネットワークノード。
【請求項１４】
請求項１２又は１３に記載のネットワークノード（１４）であって、ＲＥＧは、復調参照信号（ＤＭＲＳ）ベースのＰＤＣＣＨに適用されるＤＭＲＳのためのリソースエレメント（ＲＥ）を含む１ＯＦＤＭシンボル内の１ＰＲＢで構成される、ネットワークノード。
【国際調査報告】
2020502844.tif 000029
2020502844.tif 000030
2020502844.tif 000031
2020502844.tif 000032